(57)【特許請求の範囲】
【請求項１】
第１の端部と、第２の端部と、前記第１の端部と前記第２の端部との間の長さと、を有する一体織り又は一体編み管状グラフトであって、
糸の組から織られた又は編まれた少なくとも１つの長手方向管状グラフト部分と、
前記糸の組の少なくとも一部から長手方向管状グラフト部分と一体的に織られた又は編まれた少なくとも１つのポーチと、
を含み、
一体的に織られる場合、前記糸の組は、少なくとも１組の縦糸と少なくとも１組の横糸とを含み、
一体的に編まれる場合、前記糸の組は、少なくとも１組のウェール糸と少なくとも１組のコース糸とを含み、
前記少なくとも１つのポーチは、前記長手方向管状グラフト部分に一体的に接続された側面によって区切られ、且つ、前記管状グラフトの前記第１の端部付近に配置された、外壁、内側管状壁及び開放内側空間を有する第１のポーチであり、
前記第１のポーチは、前記管状グラフトの長手方向軸と実質的に平行に配置されたスリット開口部を有し、
前記スリット開口部は、前記第１のポーチの前記外壁に織られて又は編まれて、前記第１のポーチを横切って延びる、
ことを特徴とする管状グラフト。
【請求項２】
前記管状グラフトの前記第２の端部付近に、外壁と、内壁と、開放内側管状空間とを有する第２のポーチを含む、
請求１に記載の管状グラフト。
【請求項３】
各ポーチは、前記管状グラフトの長手方向軸と実質的に平行に配置されたスリット開口部を有する、
請求項２に記載の管状グラフト。
【請求項４】
前記第１のポーチの前記スリット開口部及び前記第２のポーチの前記スリット開口部は、前記ポーチの前記外側管状壁に織られて前記ポーチを横切って延びる、
請求項３に記載の管状グラフト。
【請求項５】
前記第１のポーチの前記スリット開口部は、前記第２のポーチの前記スリット開口部から１８０度オフセットされる、
請求項３又は４に記載の管状グラフト。
【請求項６】
前記ポーチを通じた前記グラフトの断面は、４つの織材料層を含む、
請求項１に記載の管状グラフト。
【請求項７】
前記管状グラフトは、前記ポーチと前記長手方向管状グラフト部分との間に縫い目を含まない、
請求項１から６のいずれかに記載の管状グラフト。
【請求項８】
前記ポーチ内に要素が配置される、
請求項１から７のいずれかに記載の管状グラフト。
【請求項９】
前記要素は金属ワイヤである、
請求項８に記載の管状グラフト。
【請求項１０】
前記少なくとも１つのポーチは、前記グラフトの周りに周方向に配置される、
請求項１に記載の管状グラフト。
【請求項１１】
前記長手方向管状グラフト部分は、前記ポーチの内側管状壁と共に連続して連続管を形成し、該連続管は、前記グラフトの前記第１の端部から前記グラフトの前記第２の端部に延びる、
請求項１記載の管状グラフト。
【請求項１２】
前記糸は、再吸収性又は非吸収性であり、天然材料、合成材料、金属及びこれらのいずれかの組み合わせから成る群から選択される、
請求項１から１１のいずれかに記載の管状グラフト。
【請求項１３】
前記少なくとも１つの管状グラフト部分及び前記少なくとも１つのポーチは、同じ縦糸の組から織られる、
請求項１から１２のいずれかに記載の管状グラフト。
【請求項１４】
前記少なくとも１つの管状グラフト部分は、第１の縦糸の組から織られ、前記少なくとも１つのポーチは、前記第１の縦糸の組の一部と少なくとも１つのさらなる縦糸の組とから織られる、
請求項１から１３のいずれかに記載の管状グラフト。
【請求項１５】
前記少なくとも１つの管状グラフト部分は、第１の横糸の組から織られ、前記少なくとも１つのポーチは、前記第１の横糸の組の少なくとも一部と少なくとも１つのさらなる横糸の組とから織られる、
請求項１４に記載の管状グラフト。
【請求項１６】
前記少なくとも１つの管状グラフト部分は、第１の横糸の組から織られ、前記第１のポーチは、前記第１の横糸の組の少なくとも一部と第２の横糸の組とから織られ、前記第２のポーチは、前記第１の横糸の組の少なくとも一部と、前記第２の横糸の組又は第３の横糸の組とから織られる、
請求項１４に記載の管状グラフト。
【請求項１７】
前記第１の横糸の組の材料は、前記第２及び第３の横糸の組の少なくとも一方の材料と異なる、
請求項１６に記載の管状グラフト。
【請求項１８】
第１の端部と、第２の端部と、少なくとも１つの長手方向管状グラフト部分及び少なくとも１つのポーチを含む、前記第１の端部と前記第２の端部との間の長さと、を有する一体織り又は一体編み管状グラフトの作製方法であって、
ａ．糸の組を用いて１つの長手方向管状グラフト部分を織る又は編むステップと、
ｂ．前記糸の組の少なくとも一部から前記長手方向管状グラフト部分と一体的に１つのポーチを織る又は編むステップと、
を含み、
一体的に織られる場合、前記糸の組は、少なくとも１組の縦糸と少なくとも１組の横糸とを含み、
一体的に編まれる場合、前記糸の組は、少なくとも１組のウェール糸と少なくとも１組のコース糸とを含み、
前記少なくとも１つのポーチは、前記長手方向管状グラフト部分に一体的に接続された側面によって区切られ、且つ、前記管状グラフトの前記第１の端部付近に配置された、外壁、内側管状壁及び開放内側空間を有する第１のポーチであり、
前記第１のポーチは、前記管状グラフトの長手方向軸と実質的に平行に配置されたスリット開口部を有し、
前記スリット開口部は、前記第１のポーチの前記外壁に織られて又は編まれて、前記第１のポーチを横切って延びる、
ことを特徴とする方法。
【請求項１９】
前記長手方向管状グラフト部分は、縦糸の組を用いて織られ、前記ポーチは、同じ縦糸の組から織られる、
請求項１８に記載の方法。
【請求項２０】
前記長手方向管状グラフト部分は、縦糸の組を用いて織られ、前記ポーチは、同じ縦糸の組の一部とさらなる縦糸の組とを用いて織られる、
請求項１８に記載の方法。
【請求項２１】
前記長手方向管状グラフト部分は、横糸の組を用いて織られ、前記ポーチは、同じ横糸の組の少なくとも一部とさらなる横糸の組とを用いて織られる、
請求項１８に記載の方法。
【請求項２２】
前記長手方向管状グラフト部分は管状グラフトであり、前記ポーチは前記グラフトの周りに周方向に配置される、
請求項１８から２１のいずれかに記載の方法。
【請求項２３】
前記ポーチを織った後に、前記糸の組を用いて第２の長手方向管状グラフト部分を織るステップをさらに含む、
請求項１８から２２のいずれかに記載の方法。
【発明の詳細な説明】
【技術分野】
【０００１】
本開示は、任意にポーチ、フラップ及び／又はタブ内の空間へのアクセスを可能にする１又は複数のスリット開口部を有する一体織り又は一体編みポーチを含む医療用テキスタイルに関する。ポーチ、フラップ及び／又はタブはあらゆる形状又は寸法とすることができ、ポーチ内にはスリット開口部を通じて要素を通すことができる。
【背景技術】
【０００２】
〔関連出願との相互参照〕
本出願は、２０１７年１月１３日に出願された米国仮特許出願第６２／４５，９０８号の利益を主張するものであり、この文献の内容はその全体が引用により本明細書に組み入れられる。
【０００３】
当業では、人体又は生体内に留置するための医療装置が知られている。医療装置は、ステント、グラフト、フィルタ、コイル、閉塞バスケット及び弁などの管腔内装置を含むことができる。通常、ステントは、腔内壁を支持するために使用される細長い装置である。例えば狭窄の場合には、狭窄部位の体腔を通る閉塞していない導管をステントによって提供する。このようなステントは、その内部及び／又は外部の周囲に配置された生地又は被覆物の人工グラフト層を有することもできる。当業では、一般にグラフト層を有するステントを、腔内プロテーゼ、管腔内又は血管内グラフト（ＥＶＧ）、ステントグラフト又はエンドグラフトと呼ぶ。
【先行技術文献】
【特許文献】
【０００４】
【特許文献１】米国特許第６，９９４，７２４号明細書
【特許文献２】米国特許第８，９１１，８５６号明細書
【非特許文献】
【０００５】
【非特許文献１】Ｒａｚ  Ｓ．（１９８７）Ｗａｒｐ  Ｋｎｉｔｔｉｎｇ  Ｐｒｏｄｕｃｔｉｏｎ．Ｃｈａｒｌｏｔｔｅｓｖｉｌｌｅ，ＶＡ：Ｍｅｌｌｉａｎｄ  Ｔｅｘｔｉｌｂｅｒｉｃｈｔｅ．
【発明の概要】
【発明が解決しようとする課題】
【０００６】
既知のグラフトは、織り工程、編み工程又はその他の工程によって構成することができ、任意に２又は３以上の異なるタイプの材料、典型的にはワイヤの形態を取ることができるニチノールなどの非金属ポリマーグラフト材料及び放射線不透過性材料を組み込むことができる。図１に示すように、このようなグラフト２０には、グラフト２０に織り込むことによって、又は縫合糸２４を用いて生地に縫い込むことによって、放射線不透過性ワイヤ２２を組み込んでおくことができる。グラフトをそれ自体に巻き返してカフを形成し、縫って閉じて、グラフトの内側と外側との間にポケットを形成することもできる。これらの工程では、グラフトにワイヤを縫い込むためのさらなる時間が必要になることにより、或いはワイヤ全体を通すことが必要になることにより、製作時間が増えることによって生産性が低下する。
【０００７】
従って、当業では、既知のグラフトの不利点を伴わない一体織り又は一体編みポーチ、フラップ及び／又はタブを有する医療用テキスタイルが必要とされている。
【課題を解決するための手段】
【０００８】
本明細書に開示するテキスタイルは、第１の端部と、第２の端部と、少なくとも１つのテキスタイル部分及び少なくとも１つのポーチ部分を含む第１及び第２の端部間の長さとを有する。このテキスタイルは、平坦、管状、先細、分岐、又はこれらのあらゆる組み合わせとして糸の組（短繊維、連続フィラメント、マルチフィラメント、モノフィラメント、ワイヤ、或いは製編又は製織が可能なあらゆる材料）から織ること又は編むことができる。本発明の装置の態様では、少なくとも１つのポーチがテキスタイルと同じ連続フィラメントの組又は同じ縦糸の組の一部からテキスタイルと一体に織られ又は編まれる。ポーチは、テキスタイルの１又は複数の側面及びポーチの１又は複数の側面においてテキスタイルに一体的に接合することができる。ポーチは、直線部分、湾曲部分、交差部分又は螺旋部分、或いはこれらのあらゆる組み合わせなどのあらゆる形状又は寸法を形成することができる。さらに、ポーチは連続的とすることができ、テキスタイル上の円周方向、水平方向又は長手方向テキスタイルセグメントの全体又は選択部分を含むことができる。１又は２以上のポーチは、任意にポーチの内部にアクセスするためのスリット開口部を含むことができる。スリット開口部は、グラフト部分の長手方向軸、円周軸又は対角軸と実質的に平行又は垂直に配置することができる。スリット開口部は、ポーチの内側又は外側管状壁に配置することができ、望ましくは任意に１８０度だけ互いにオフセットすることができるが、互いにオフセットしなくてもよく、或いは４５度又は９０度などのあらゆる有用な度数だけオフセットすることもできる。
【０００９】
ある実施形態では、ポーチが、開放スリット部分及び閉鎖部分を含むことができる。ポーチには、スリット開口部又は閉鎖部分の細孔を用いてニチノールワイヤなどの要素を通すことができる。
【００１０】
通常、織りグラフトは、縦方向に配向された第１の糸の組と、横方向に配向された第２の糸の組とを含み、これらの組は、織り合わされて人工テキスタイルを形成する。テキスタイル織りの技術分野では、「縦」糸（ｅｎｄ  ｙａｒｎｓ）が互いに平行に軸方向に配向され（「ｗａｒｐ  ｅｎｄｓ」又は「ｗａｒｐ  ｅｎｄ  ｙａｒｎｓ」とも呼ばれる）、製織工程中に上昇及び下降して「横」糸（ｐｉｃｋ  ｙａｒｎｓ）（「ｗｅｆｔ  ｙａｒｎｓ」とも呼ばれる）のための空間を提供し、パターンが織られるにつれて上下に交差する。この時、縦糸に対して垂直に横方向に配向された横糸は、例えばシャトル、レピア、飛翔物、空気ジェット又は水ジェットなどの異なるタイプの機構によって、提供された空間内で縦糸の幅を横切って横方向に運ばれ、これによって人工テキスタイルを編む。
【００１１】
人工テキスタイルからグラフトを構成する際には、縦方向及び横方向の糸を、例えば平織り、あや織り、サテン織り、ベロア織り、二重ベロア織り、バスケット織り又は様々なカスタマイズされた構成などのあらゆる織り構成で織り合わせることができる。織り人工素材は、内部を貫く少なくとも１つの管腔を定める幹壁（ｔｒｕｎｋ  ｗａｌｌ）を有する縫い目のない管状構成に直接製造され、グラフ本体（ｇｒａｐｈ  ｂｏｄｙ）から延びる２又は３以上の枝部（ｌｉｍｂ）に分岐することができる（例えば、二分岐又は三分岐することができる）。このような縫い目のない構成は、例えばシャトル織機を使用することなどの当業で周知の製織方法を用いて製造することができる。管状構成の縦糸は、管又は分岐の長手方向軸に沿って配向され、横糸は、管又は分岐の周囲に半径方向に配向される。
【００１２】
また、同じ糸の組（短繊維、連続フィラメント、マルチフィラメント、モノフィラメント、ワイヤ、或いは製織又は製編が可能なあらゆる材料）の少なくとも一部を共有する少なくとも１つのテキスタイル部分と少なくとも１つのポーチ部分とを含む医療用テキスタイルの作製方法も開示する。テキスタイルは、平坦、管状、先細、分岐、又はこれらのあらゆる組み合わせとして織ること又は編むことができる。この方法は、第１のテキスタイル部分を織る又は編むステップと、上記糸の組の少なくとも一部から第１のテキスタイル部分と一体に第１のポーチを織る又は編むステップと、上記糸の組から第１のテキスタイル部分及び第１のポーチと一体に第２のテキスタイル部分を織る又は編むステップと、糸の組の少なくとも第２の部分から第１のテキスタイル部分、第１のポーチ及び第２のテキスタイル部分と一体に第２のポーチを織る又は編むステップと、上記糸の組から第１のテキスタイル部分、第１のポーチ、第２のテキスタイル部分及び第２のポーチと一体に第３のテキスタイル部分を織る又は編むステップとを含むことができ、これらの各セグメントは、同じ糸の組の少なくとも一部を共有する。織りテキスタイルでは、糸が、少なくとも１組の縦糸と少なくとも１組の横糸とを含むことができる。ある実施形態では、テキスタイル部分及びポーチを同じ縦糸の組から織ることができる。この方法では、１又は２以上のシャトル又は横糸、好ましくは３つのシャトル又は横糸を使用することができる。別の実施形態では、テキスタイル部分及びポーチを１つよりも多くの糸案内棒、好ましくは二重針棒から編むことができる。ポーチは、テキスタイルと同じ密度又は異なる密度を有することができる。この方法は、ポーチの外側又は内側管状壁にスリット開口部を一体的に形成し、すなわち織り込む又は編み込むステップと、任意にスリット開口部を介してポーチに放射線不透過性マーカ又はニチノールステントなどの要素を通すステップとをさらに含むことができる。ある実施形態では、ポーチ又はスリット開口部を形成するために切断、縫製又は縫い合わせを行うことなく一体織り又は一体編みテキスタイルを作製することができる。
【００１３】
以下の例示的な実施形態についての詳細な説明を添付図面に関連して読むことにより、本発明のこれらの及びその他の特徴及び利点が明らかになるであろう。図面の複数の図全体を通じ、対応する参照要素番号又は文字は対応する部分を示す。
【図面の簡単な説明】
【００１４】
【図１】管状グラフトの頂部及び底部の外周沿いをワイヤスパイン（ｗｉｒｅ  ｓｐｉｎｅ）に沿って縫うことによってニチノールワイヤを適所に保持する従来の管状グラフトを示す図である。
【図２】３次元１×１管状グラフトを形成するために使用される平織り反復パターン１０１の２次元表現である。
【図３】少なくとも１つのスリット開口部を有する３次元周方向ポーチを織るために展開される織りパターン１０２の２次元表現であって、織物の横糸及び縦糸情報を含む図である。
【図４】第１の端部及び第２の端部を有し、長手方向管状グラフト部分と、スリット開口部を有する周方向ポーチとを含む、複数のセグメントで構成された一体織りグラフトを示す図である。
【図５】長手方向管状グラフト部分と、後部及び前部にスリット開口部を有する周方向ポーチとを含む一体織りグラフトの２次元図面である。
【図６】図５の軸５ｉ−５ｉを通じて切り取った図５の周方向ポーチの４つの織材料の層を示す断面図であって、（外側部とも呼ばれる）外側管状壁と、内側管状壁と、開放内側管状空間とを示す図である。
【図７Ａ】グラフト長全体を通じて複数の周方向ポーチを含む一体織り管状グラフトの２次元図面であって、３つの長手方向管状グラフト部分と、グラフトの頂部付近の周方向ポーチと、底部付近の周方向ポーチとを有し、両ポーチが織縁部に開口部を含む一体織りグラフトを示す図である。
【図７Ｂ】グラフト長全体を通じて複数の周方向ポーチを含む一体織り管状グラフトの２次元図面であって、３つの長手方向管状グラフト部分と、グラフトの頂部付近の周方向ポーチと、底部付近の周方向ポーチとを有し、両ポーチが織縁部に開口部を含み、各ポーチのスリット開口部を通じてニチノールワイヤのリングを通すことができ、グラフトの側面を下降する露出したニチノールワイヤのスパインが見える一体織りグラフトを示す図である。
【図７Ｃ】グラフト長全体を通じて複数の周方向ポーチを含む一体織り管状グラフトの図であって、グラフト長全体を通じて織縁部に１つの開口部を有する周方向ポーチを有する一体織りグラフトを示す図である。
【図７Ｄ】グラフト長全体を通じて複数の周方向ポーチを含む一体織り管状グラフトの２次元図面であって、管状グラフト部分が図２の織りパターン１０１に従って織られ、織縁部に１つの開口部を有する周方向ポーチが図３の織りパターン１０２に従って織られた一体織り管状グラフトの図である。
【図８Ａ】各織縁部に１つずつ存在する２つのスリット開口部を有する一体織り周方向ポーチを含む一体織り管状グラフトの２次元図面であって、グラフトの外部全体の周囲に２つの周方向ポーチを含み、管状グラフト部分が図２のような織りパターン１０１に従って織られ、ポーチが図３のような織りパターン１０２に従って織られた一体織り管状グラフトの図である。
【図８Ｂ】各織縁部に１つずつ存在する２つのスリット開口部を有する一体織り周方向ポーチを含む一体織り管状グラフトの２次元図面であって、グラフトの周囲で連続していない短縮された周方向ポーチを含み、管状グラフト部分が図２のような織りパターン１０１に従って織られ、ポーチが図３のような織りパターン１０２に従って織られた一体織り管状グラフトの図である。
【図９Ａ】スリット開口部を含まない連続する周方向ポーチの織りパターン１０３を示す図である。
【図９Ｂ】内部にスリット開口部が織られていない連続する周方向ポーチを含む一体織り管状グラフトの２次元図面であって、管状グラフト部分が図２のような織りパターン１０１に従って織られ、周方向ポーチが図９Ａのような織りパターン１０３に従って織られた一体織り管状グラフトの図である。
【図１０Ａ】グラフト長全体を通じて複数の円周方向ポーチと長手方向ポーチと対角ポーチとを含む一体織り管状グラフトの織りパターンであって、各ポーチが内部に織られた１つのスリット開口部を有して他のポーチに接続されていない修正された１×１管状グラフトの織りパターン１０４である。
【図１０Ｂ】グラフト長全体を通じて複数の円周方向ポーチと長手方向ポーチと対角ポーチとを含む一体織り管状グラフトの図面であって、内部に織られた２つのスリット開口部と、グラフト長に沿って周方向ポーチに接続された対角ポーチとを有する２つの周方向ポーチを含み、各ポーチが内部に織られた１つのスリット開口部を有して他のポーチに接続されておらず、管状グラフト部分が図２のような織りパターン１０１及び図１０Ａのような織りパターン１０４に従って織られ、周方向及び対角ポーチが図１１Ａ及び１１Ｂのような織りパターン１０５及び１０６に従って織られた一体織り管状グラフトの２次元図面である。
【図１０Ｃ】グラフト長全体を通じて複数の円周方向ポーチと長手方向ポーチと対角ポーチとを含む一体織り管状グラフトの図面であって、グラフト部分の織縁部に沿って周方向ポーチと長手方向スパインポーチとを含み、スパイン及び周方向ポーチが織縁部上にスリット開口部を含んでポーチが接続されておらず、各ポーチが内部に織られた１つのスリット開口部を有して他のポーチに接続されていない一体織り管状グラフトの３次元図である。
【図１０Ｄ】グラフト長全体を通じて複数の円周方向ポーチと長手方向ポーチと対角ポーチとを含む一体織り管状グラフトの図面であって、２つの周方向ポーチと、グラフトの各織縁部に沿った２つの長手方向ポーチとを有し、各ポーチが内部に織られた１つのスリット開口部を有して他のポーチに接続されておらず、管状グラフト部分が図２のような織りパターン１０１及び図１０Ａのような織りパターン１０４に従って織られ、周方向及び対角ポーチが図１１Ａ及び１１Ｂのような織りパターン１０５及び１０６に従って織られた一体織り管状グラフトの２次元図である。
【図１１Ａ】長手方向スパインポーチを含む一体織り管状グラフトの長手方向ポーチの左側の織りパターン１０５を示す図である。
【図１１Ｂ】長手方向スパインポーチを含む一体織り管状グラフトの長手方向ポーチの右側の織りパターン１０６を示す図である。
【図１１Ｃ】長手方向スパインポーチを含む一体織り管状グラフトの図面であって、長手方向スパインポーチに接続された織縁部上に開口部を有する周方向ポーチを含み、管状グラフト部分がそれぞれ図２及び図１０Ａのような織りパターン１０１及び１０４に従って織られ、周方向ポーチが図３のような織りパターン１０２に従って織られ、長手方向スパインポーチが織りパターン１０６に従って織られた一体織り管状グラフトの２次元図面である。
【図１２Ａ】スリット開口部を有する長手方向スパインポーチを含む一体織り管状グラフトの、スリット開口部を有する長手方向スパインポーチの左側の織りパターン１０７を示す図である。
【図１２Ｂ】スリット開口部を有する長手方向スパインポーチを含む一体織り管状グラフトの、スリット開口部を有する長手方向スパインポーチの右側の織りパターン１０８を示す図である。
【図１２Ｃ】スリット開口部を有する長手方向スパインポーチを含む一体織り管状グラフトであって、スリット開口部を有する２つの周方向ポーチと、スリット開口部を有する２つの長手方向スパインポーチとを含み、長手方向ポーチが織縁部に対してグラフトの両側に織られ、すなわち織縁部に巻き付かず、各長手方向ポーチが一体織り長手方向管状グラフト部分の織縁部上にスリット開口部を有する１つの周方向ポーチに接続され、管状グラフト部分がそれぞれ図２及び図１０Ａのような織りパターン１０１及び１０４に従って織られ、周方向ポーチが図３のような織りパターン１０２に従って織られ、長手方向スパインポーチが織りパターン１０７及び１０８に従って織られた一体織り管状グラフトの２次元図面である。
【図１２Ｄ】スリット開口部を有する長手方向スパインポーチを含む一体織り管状グラフトであって、グラフトの頂部及び底部の周方向ポーチに接続された長手方向スパインポーチを含み、各長手方向スパインポーチが織縁部に対してグラフトの反対側に織られ、各長手方向ポーチが一体織り長手方向管状グラフト部分の織縁部上にスリット開口部を有する１つの周方向ポーチに接続され、管状グラフト部分がそれぞれ図２及び図１０Ａのような織りパターン１０１及び１０４に従って織られ、周方向ポーチが図３のような織りパターン１０２に従って織られ、長手方向スパインポーチが織りパターン１０７及び１０８に従って織られた一体織り管状グラフトの２次元図面である。
【図１３Ａ】本開示の１又は２以上のポーチを含む一体織りテキスタイルの非限定的な例示的図面である。
【図１３Ｂ】本開示の１又は２以上のポーチを含む一体織りテキスタイルの非限定的な例示的図面である。
【図１３Ｃ】本開示の１又は２以上のポーチを含む一体織りテキスタイルの非限定的な例示的図面である。
【図１３Ｄ】本開示の１又は２以上のポーチを含む一体織りテキスタイルの非限定的な例示的図面である。
【図１４Ａ】一体編みポーチを含む部分的に及び完全に糸通しされた編みテキスタイルの、従来のループ構造又はラッピング動作を用いて完全及び部分的に糸通しされたニット表記パターンを表す図である。
【図１４Ｂ】一体編みポーチを含む部分的に及び完全に糸通しされた編みテキスタイルの図面であって、ポーチを含む一体編みテキスタイルの２次元断面図である。
【図１４Ｃ】一体編みポーチを含む部分的に及び完全に糸通しされた編みテキスタイルの図面であって、編みテキスタイル及びポーチの３次元斜め断面図である。
【図１４Ｄ】一体編みポーチを含む部分的に及び完全に糸通しされた編みテキスタイルの図面であって、一体編みポーチを含む編みテキスタイルの２次元正面図である。
【図１４Ｅ】一体編みポーチを含む部分的に及び完全に糸通しして製編されたテキスタイルの図面であって、一体編みポーチを含む編みテキスタイルの２次元上面図である。
【図１５Ａ】一体編みポーチを含む部分的に糸通しされた編みテキスタイルの部分的に糸通しされたニット表記パターンを表す図である。
【図１５Ｂ】一体編みポーチを含む部分的に糸通しされた編みテキスタイルの図面であって、一体型ポーチを含む編みテキスタイルの２次元断面図である。
【図１５Ｃ】一体編みポーチを含む部分的に糸通しされた編みテキスタイルの図面であって、編みテキスタイル及びポーチの３次元斜め断面図である。
【図１５Ｄ】一体編みポーチを含む部分的に糸通しされた編みテキスタイルの図面であって、一体編みポーチを含む編みテキスタイルの２次元正面図である。
【図１５Ｅ】一体編みポーチを含む部分的に糸通しされた編みテキスタイルの図面であって、一体編みポーチを含む編みテキスタイルの２次元上面図である。
【図１６Ａ】一体編みポーチを含む完全に糸通しされた編みテキスタイルの完全に糸通しされたニット表記パターンを表す図である。
【図１６Ｂ】一体編みポーチを含む完全に糸通しされた編みテキスタイルの図面であって、一体的にポーチを含む編みテキスタイルの２次元断面図である。
【図１６Ｃ】一体編みポーチを含む完全に糸通しされた編みテキスタイルの図面であって、編みテキスタイル及びポーチの３次元斜め断面図である。
【図１６Ｄ】一体編みポーチを含む完全に糸通しされた編みテキスタイルの図面であって、一体編みポーチを含む編みテキスタイルの２次元正面図である。
【図１６Ｅ】一体編みポーチを含む完全に糸通しされた編みテキスタイルの図面であって、一体編みポーチを含む編みテキスタイルの２次元上面図である。
【図１７Ａ】中心にスリット開口部を有するポーチを含む一体織り又は一体編みフラットテキスタイルの図面である。
【図１７Ｂ】中心にスリット開口部を有するポーチを含む一体織り又は一体編みフラットテキスタイルの図面であって、図１７Ａの周方向ポーチの軸１７Ｂ−１７Ｂを通じて切り取った、１つの織り又は編み材料層を示す断面図である。
【図１７Ｃ】中心にスリット開口部を有するポーチを含む一体織り又は一体編みフラットテキスタイルの図面であって、図１７Ａの周方向ポーチの軸１７Ｃ−１７Ｃを通じて切り取った、スリット開口部を有するポーチの２つの織り又は編み材料層と、ポーチの周囲のフラットテキスタイルの１つの織り又は編み材料層とを示す断面図である。
【図１８Ａ】フラットテキスタイル上のタブ、フラップ又は延長テキスタイル部分の２次元図面であって、１つの側面がフラットテキスタイルに接続されたタブ又はフラップを含むフラットテキスタイルを示す図である。
【図１８Ｂ】フラットテキスタイル上のタブ、フラップ又は延長テキスタイル部分の２次元図面であって、２つの側面がテキスタイルに接続されたタブ又はフラップを含むフラットテキスタイルを示す図である。
【図１９】周方向ポーチを織る際に使用される４組の縦糸の断面構成を示す図である。
【図２０】周方向ポーチを織る際に使用される４組の縦糸の断面構成を示す図である。
【図２１】周方向ポーチを織る際に使用される４組の縦糸の断面構成を示す図である。
【図２２】周方向ポーチを織る際に使用される４組の縦糸の断面構成を示す図である。
【発明を実施するための形態】
【００１５】
本開示は、グラフト又はメッシュなどの医療用テキスタイルにおける縫い目の切断、縫製及び形成の必要性を排除して医療用テキスタイル内にポーチ、タブ、フラップ又は延長テキスタイル部分を一体化することによって当業で周知の問題を解決するものである。ポーチは、放射線不透過性マーカ、装置、薬剤、フィルム、又は他のいずれかの互換物（ｃｏｍｐａｔｉｂｌｅ  ｏｂｊｅｃｔ）などの要素を含むことができる。本発明は、任意に管状の埋め込み式グラフトとすることができる医療用テキスタイル上に１又は２以上の外部ポーチ、タブ、フラップ又は延長テキスタイル部分を一体的に織る方法、編む方法、又はこれらを組み合わせた方法、及びこの方法から形成される装置を提供する。ポーチ、タブ、フラップ又はテキスタイルセグメントは、下にあるテキスタイルも形成する１又は２以上の糸の組を用いて織ること又は編むことができ、これによってポーチ、タブ又は延長テキスタイル部分を埋め込み式テキスタイルと一体に形成することができる。各ポーチは、やはりテキスタイルに一体的に織り込み又は編み込むことも、或いは切断などの他の方法によって形成することもできるスリット開口部を含むことができる。スリット開口部は、放射線不透過性マーカ、装置、薬剤、フィルム又は他のいずれかの互換物などの要素をポーチに出し入れするために利用することができる。
【００１６】
テキスタイルが管状グラフトである時にはポーチも管状であり、下にある管状グラフトを少なくとも部分的に、実質的に又は完全に囲むことができる。例えば、ポーチは、下にある管状グラフトの周囲のドーナツ形とすることができる。ある実施形態によれば、ポーチの１つのスリット開口部を通じて放射線不透過性マーカ（例えば、ワイヤ）などの要素を配置し又は通すことができる。要素をグラフトに縫い込む必要があるステップを排除することにより、製作時間及び関連するコストが削減される。また、ポーチとグラフトとの縫い目のない一体形成により、ポリマーグラフト材料の穿刺も縫い目も存在しない。「縫い目」は、２つの材料片が互いに接合された線である。対照的に、本開示のグラフトを作製するには、長手方向管状グラフト部分とグラフトの周囲のポーチとを織り混ぜ又は編み合わせによって接合し、これによってこれらの間で糸の組の少なくとも一部を共有し、換言すればセグメントを別個に作製せず、その後に縫い目で接合する。本発明によって提供される縫い目なし構造の利点にもかかわらず、縫い目を含むテキスタイル構成を本発明と統合して併用することもできる。例えば、米国特許第６，９９４，７２４号では、縦糸を下げて様々な形状及びグラフト構成を形成し、その構成の一部として縫い目も含むテキスタイル構造が使用されており、この文献はその全体が引用により本発明に組み入れられる。このような縫い目を採用する構造及びその他の構造を本発明と組み合わせて使用して様々な製品を製造することができる。第１の実施形態は、第１の端部と、第２の端部と、これらの間の長さとを有する、一体的に織られた、又は一体的に編まれた、或いはこれらを組み合わせたテキスタイルに関する。このテキスタイルは、縦糸の組及び／又は横糸の組を含む糸の組から織られた又は編まれたベーステキスタイル層と、ベーステキスタイル層上に形成された一体織り又は一体編みポーチ、タブ又は延長テキスタイル部分とを含むことができ、ポーチ、タブ又は延長テキスタイル部分は、同じ糸の組の少なくとも一部から織られ又は編まれる。ポーチ、タブ又は延長テキスタイル部分は、同じ糸の組の少なくとも一部又は糸のサブセットから織ること又は編むことができる。
【００１７】
テキスタイルは、グラフト、管、シース、テザー、パッチ、テープ、メッシュ、弁などの埋め込み式医療装置において使用できるあらゆるテキスタイルとすることができる。このテキスタイルは、二分岐、三分岐したテーパ状のパネル及びシートを含むあらゆる既知の形状又は設計、並びにあらゆる高さ及び長さを有することができる。例えば、このテキスタイルは、２次元の平坦な矩形又は管状のグラフトとすることができる。
【００１８】
「一体的に織られる（ｉｎｔｅｇｒａｌｌｙ  ｗｏｖｅｎ）」及び「一体的に編まれる（ｉｎｔｅｇｒａｌｌｙ  ｋｎｉｔｔｅｄ）」という用語は、テキスタイルの一部又は断片を織り合わせ又は編み合わせてテキスタイル全体を作製することを意味する。換言すれば、テキスタイルの一部又は断片が全体的又は部分的に共通の糸を共有する。
【００１９】
ポーチは、織られ又は編まれてベーステキスタイル層に一体的に接続された、テキスタイル層上のさらなる織物層とすることができる。ポーチは、基層に接続する全ての側面が閉じられるように、或いは１つ又は２つの側面を除く全ての側面が接続されるように織ること又は編むことができる。例えば、矩形ポーチの場合には、２つ、３つ又は４つの側面を閉じて織ること又は編むことができる。さらに、円形又は長円形ポーチの場合には、直径全体の周囲を完全に閉じて、又は直径の一部の周囲を完全に閉じて織ることもできる。ポーチは、あらゆるポーチ形状、サイズ又は寸法に従う。
【００２０】
タブ、フラップ又は延長テキスタイル部分は、織られて又は編まれてベーステキスタイル層に一体的に接続されたさらなる織物層とすることができる。タブ、フラップ又は延長テキスタイル部分は、少なくとも１点がベーステキスタイル層に一体的に取り付けられるように織ること又は編むことができる。例えば、矩形タブの場合には、４つの側面のうちの１つ又は２つ、或いは１又は２以上の側面の一部を織って又は編んで閉じることができる。本明細書の開示では、あらゆる適切な実施形態において、織り又は編みポーチの代わりに織り又は編みタブ又は延長テキスタイル部分又はサックを使用することもできる。
【００２１】
１又は２以上のタブ又はポーチは、あらゆる好適な織りパターン又は編みパターンに従って平織りパターン又は繰り返し編みパターンを修正することによってベーステキスタイル層に一体的に織り込むこと又は編み込むことができる。各タブ又はポーチは、テキスタイル上に線形的に、湾曲して、交差して、螺旋状に又は対角的に、或いは他のいずれかの好適な態様又は形状で配置されるように織ること又は編むことができる。各タブ又はポーチは、テキスタイルの全長又は全高、或いはその一部にわたって広がることができる。テキスタイル上に線形的に、湾曲して、交差して、螺旋状に又は対角的に配置できる１又は２以上のタブ又はポーチは、縫い目、縫製又は切断を伴わずにベーステキスタイル層と一体に織られ又は編まれる。
【００２２】
テキスタイルは、１つの周方向ポーチ、タブ、サック又は延長テキスタイル部分を含むことができる。別の実施形態では、テキスタイルが、テキスタイルに織り込まれた又は編み込まれた２つ、３つ又は４つのポーチなどの１つよりも多くのポーチを含むことができる。いくつかの実施形態では、例えば同じテキスタイル上で線形ポーチと対角ポーチなどのポーチ位置の組み合わせを使用することができる。他の実施形態では、同じテキスタイル上でポーチ、タブ及び延長テキスタイル部分の組み合わせを使用することができる。
【００２３】
ポーチ、タブ及び延長テキスタイル部分の配置、幅及び長さは、ポーチ、タブ及び延長テキスタイル部分の用途及び使用目的に依存する。ポーチ又はタブのサイズ及び配置の精度は、織り密度又は編み密度及びパターン反復に比例する。織り密度又は編み密度は、ポーチ又はタブの用途及び使用に合わせて調節又は調整することができる。ある実施形態では、タブ又はポーチの密度を、１ｃｍ2当たり約３糸〜１ｃｍ2当たり約２５０糸とすることができる。本明細書で使用する、テキスタイルの所与の領域における糸の密度は、例えば製織のための横糸（ｗｅｆｔ  ｙａｒｎｓ又はｐｉｃｋｓ）及び製編のためのコース糸の数などの一方向における糸の数に、例えば製織のための縦糸及び製編のためのウェール糸の数などの垂直方向の糸の数を足したものを意味する。
【００２４】
各ポーチ、タブ、フラップ又は延長テキスタイル部分は、あらゆる幅及びあらゆる長さになるように織ること又は編むことができる。ポーチ、タブ又は延長テキスタイル部分の最大幅は、織機又は編機の幅に比例する。テキスタイル上に１つよりも多くのタブ又はポーチが含まれる時には、タブ又はポーチが同じ方向に存在する必要はなく、様々な用途に対応するようにサイズが異なって様々な要素のハウジングとして機能することができる。ある実施形態では、１又は２以上のタブ又はポーチの幅を、約０．５ｍｍ〜約２００ｍｍ、好ましくは１ｍｍ〜約１０ｍｍ、より好ましくは約２ｍｍ〜約８ｍｍ、より好ましくは約２ｍｍ〜約６ｍｍ、より好ましくは約２ｍｍ〜約４ｍｍ、さらに好ましくは約２．０ｍｍとすることができる。
【００２５】
各ポーチ、タブ、フラップ又は延長テキスタイル部分の幅及び長さは、中に通される又は別様に配置される要素に対応するように調整することができる。ある実施形態では、要素が最低限の摩擦及び動きでポーチ内で確実にぴったりと収まることが望ましい。ある実施形態では、摩擦を抑えてテキスタイル上での摩耗を最小化するように要素にコーティングを施すこともできる。
【００２６】
本発明の装置のベーステキスタイル層は、糸の組から織ること又は編むことができ、ポーチ、タブ又は延長テキスタイル部分は、同じ糸の組の少なくとも一部から織られ又は編まれる。本明細書で使用する糸は、１又は２以上のフィラメントで構成された紡織繊維のストランドである。従って、例示的な実施形態で使用される糸は、製織又は製編が可能な単一フィラメント（モノフィラメント）、複数のフィラメント（マルチフィラメント）、ステープルファイバ、ワイヤ、又は他のいずれかの材料から構成することができる。糸を含むフィラメントは、例えば互いに撚り合わせること又は織り合わせることなどのあらゆる形で互いに関連付けることができる。これらの糸は、凹凸のあるもの又は平坦なものとすることができ、例えば明るいもの、半分暗いもの及び完全に暗いものなどのあらゆる不透明度を有することができる。本発明の人工テキスタイル装置を織るため又は編むために使用される糸は、例えば絹及び綿などの天然材料、並びに、例えばポリエチレンテレフタレート（ＰＥＴ）、超高分子量ポリエチレン（ＵＨＭＷＰＥ）、ポリテトラフルオロエチレン（ＰＴＦＥ）、又はその他の生体適合性ポリマーといったポリマーなどの合成材料のような、生物学的に適合したものとすることができる。綿などの生物学的に適合しない糸を使用し、結果として得られるプロテーゼを好適な生体適合性材料で被覆又は別様に処理して、身体による受け入れ及び体内での使用を強化することもできる。糸は、再吸収性、非吸収性、又はこれらの組み合わせとすることができる。糸は、天然材料、合成材料、金属（例えば、金、プラチナ、ニッケル、スズ、ニチノール、コバルト、クロミウム、ステンレス鋼）、又はこれらのいずれかの組み合わせから作製することができる。ある実施形態では、１又は２以上の糸が、ポリエステル、ニチノール又はポリプロピレンである。別の実施形態では、１又は２以上の糸がポリエステルであり、好ましくはポリエチレンテレフタレート（ＰＥＴ）である。
【００２７】
テキスタイルは、１又は２以上の材料の糸で構成することができる。糸という用語は、縦糸（ｗａｒｐ  ｅｎｄ  ｙａｒｎｓ）及び横糸（ｗｅｆｔ（又はｐｉｃｋ）  ｙａｒｎｓ）の両方を含む。ある実施形態では、縦糸（ｗａｒｐ  ｅｎｄ  ｙａｒｎｓ  （又はｗａｒｐ  ｅｎｄｓ））及び横糸（ｗｅｆｔ  ｙａｒｎｓ（又はｐｉｃｋｓ））が全てＰＥＴなどの同じ材料である。別の実施形態では、縦糸が１つの材料であり、横糸が１つよりも多くの材料で構成される。ある実施形態では、縦糸がＰＥＴであり、長手方向管状グラフト部分の横糸がＰＥＴであり、ポーチの横糸がＰＥＴ及びニチノールなどの金属である。この実施形態では、ポーチの内側管状壁に使用される横糸がＰＥＴであり、ポーチの外側管状壁に使用される横糸がニチノールである。例えば補強目的などの多くの異なる用途のために、横糸を介して異なる材料をポーチに織り込むことができると想定される。従って、横糸には、より強力な糸、或いは生分解性又は吸収性材料を使用することもできる。本開示に従って縦糸及び横糸を変更するあらゆる数の代替例が想定される。
【００２８】
この実施形態では、ベーステキスタイル層と１又は２以上のタブ又はポーチとを同じ縦糸の組から織ること又は編むことができる。ある実施形態では、内側管状壁を一体的に織る際に縦糸の半分を使用してポーチを織り、縦糸の残りの半分を外側管状壁において一体的に織ることができる。縦糸は、どれほど多くのポーチがテキスタイルに織り込まれたとしても、いずれかのさらなる長手方向管状グラフト部分などを織るために再び使用される。
【００２９】
糸は、約４０デニール（４４デシテックス）以上の、約４０デニール（４４デシテックス）未満の、約３０デニール（３３デシテックス）の、又は全体的に約３０デニール（３３デシテックス）未満の線密度を有することができる。デニールは、９，０００メートルの糸のグラム単位の重量である。織りテキスタイルの厚みは、約７ミル（０．１８ｍｍ）又はそれ未満、約６ミル（０．１５ｍｍ）〜約３ミル（０．０７６ｍｍ）、約４ミル（０．１０ｍｍ）又はそれ未満、約４．３ミル（０．１１ｍｍ）〜約５．５ミル（０．１４ｍｍ）、約４．０ミル（０．１０ｍｍ）、或いは約３．２ミル（０．０８ｍｍ）又はそれ未満とすることができる。ミルは長さの単位であり、１ミルは０．００１インチ（０．０２５４ｍｍ）に等しい。テキスタイルの厚みは、標準試験（ＩＳＯ  ７１９８）によって測定することができる。テキスタイルは、１ｃｍ2当たり約１０糸以上の、１ｃｍ2当たり約１００糸以上の、１ｃｍ2当たり約１５０糸以上の、１ｃｍ2当たり約１７７糸を上回る、又は１ｃｍ2当たり約２５０糸以上の単位面積当たりスレッド数を有することができる。糸の数は、単位面積における縦糸の数と横糸の数とを加算することによって計算される。
【００３０】
ある実施形態では、このテキスタイルを、米国特許第８，９１１，８５６号に開示されるような、全体的に約３０デニール（３３デシテックス）未満であって１フィラメント当たり約１０デニール（１１デシテックス）未満の糸、１ｃｍ2当たり約１７７糸を上回る単位面積当たりスレッド数、及び約３．２６ミル（０．０８ｍｍ）未満の厚みを含む、極薄、高密度、低デニールの生地とすることができ、この文献の内容はその全体が引用により本明細書に組み入れられる。この生地は、約６０ｇ／ｍ2未満の重量を有することができる。別の実施形態では、テキスタイルを、全体的に約３０デニール（３３デシテックス）未満であって１フィラメント当たり約１０デニール（１１デシテックス）未満の糸、１ｃｍ2当たり約１７７糸未満の単位面積当たりスレッド数、及び約３．２６ミル（０．０８ｍｍ）未満の厚みを有する低密度平板又は管とすることができる。低密度テキスタイルは、ポーチ、タブ又はフラップ内に、限定するわけではないが例えば医薬品を導入するためのアクセスポイントとしてテキスタイルの細孔を使用できる場合に織ること又は編むことができる。生地の重量は、標準試験（ＩＳＯ  ７１９８）によって測定することができる。
【００３１】
さらに、１つの実施形態では、織りテキスタイルが、１２０ｍｍＨｇ（１６ｋＰａ）の圧力における約４００ｃｃ／分／ｃｍ2未満の透水性評価、及び／又は約２０重量ポンド（８９ニュートン）以上のプローブ破裂強度を有することができる。プローブ破裂強度は、１インチ直径（２５．４ｍｍ）の生地部分に３／８インチ（９．５ｍｍ）のプローブを毎分０．５インチ（１２．７ｍｍ）の速度で圧入し、プローブが布を突き破る力を測定することによって求めることができる（ＩＳＯ  ７１９８による、その内容は引用により本明細書に組み入れられる）。織りテキスタイルは、１インチ当たり約２５ｌｂｓ（１７０ｋＰａ）を上回る引張強度を有することができる。
【００３２】
各ポーチ、タブ又は延長テキスタイル部分は、これらの内部に織られた又は編まれたスリット開口部を有することができる。スリット開口部は、事後に切断されるのではなく、タブ又はポーチの織物又は編物内に手動で切断し、又は一体的に形成することができる。さらに、低密度織物又は編物の１又は複数の細孔をポーチへのアクセスポイントとして使用することもできる。タブ又はポーチの外側管状壁に（又は外側部に）スリットを形成すると、下にあるタブ又はポーチの内壁と外壁との間の空間にアクセスできるようになる。スリット開口部は、一体的に織られる又は編まれる場合には、ほつれる恐れがある縁部を排除又は最小化するためにテキスタイル材料を切断する必要なく形成される。
【００３３】
従って、１又は２以上のタブ又はポーチ内にスリット開口部を形成することができる。１つの実施形態では、スリット開口部が切断によって形成される。このような切断は、レーザ、ブレード、ウォータージェット又は他のいずれかの好適な方法によって行うことができる。別の実施形態では、スリット開口部がタブ又はポーチに一体的に織り込まれる。ある実施形態では、スリット開口部がテキスタイルの長手方向軸と実質的に平行に配置されるが、テキスタイルの長手方向軸に垂直な配置、又はテキスタイルの長手方向軸に対する別の角度での配置などの他のスリットの配置も検討される。
【００３４】
スリット開口部は、タブ又はポーチ上（例えば、内側又は外側管状壁上）のあらゆる位置に配置することができる。別の実施形態では、スリット開口部がポーチの外壁に存在してポーチ全体に延びる。別の実施形態では、例えばポーチ内に配置された要素を適所に保持するために、例えば縫合、接着又はその他の方法などの当業で周知のいずれかの方法によって後でスリット開口部を閉じることができる。
【００３５】
ある実施形態では、１又は２以上のスリット開口部に要素が通され、又はその内部に配置される。要素は、治療効果をもたらすために使用されることが当業で知られているあらゆる物体又は装置とすることができる。要素は、ポーチ内に配置するのに適したあらゆる形態の調合薬製品とすることもできる。要素は、任意に放射線不透過性とすることができ、当業での使用が知られているあらゆるマーカ（例えば、ワイヤ、ディスク、フィルム）又はステントとすることができる。他の実施形態では、要素が、密封装置、可膨張式装置、係止装置又は返しを含む取り付けリング、薬剤溶出構造、生分解性物体、又は液体を含む管である。
【００３６】
ある実施形態では、要素が、任意に金属（例えば、金、プラチナ、ニッケル、スズ、ニチノール、コバルト、クロミウム、又はこれらのいずれかの組み合わせ）を含むワイヤとすることができる放射線不透過性マーカであるが、好適な放射線不透過性マーカとして使用されることが当業で知られているあらゆる材料を本開示と共に使用することができる。別の実施形態では、放射線不透過性マーカがワイヤであり、好ましくはニチノールワイヤである。
【００３７】
第２の実施形態は、第１の端部と、第２の端部と、これらの間の長さとを有する一体織りグラフトに関する。一体織りグラフトは、糸の組から織られた長手方向管状グラフト部分と、同じ糸の組の少なくとも一部から長手方向管状グラフト部分と一体に織られた少なくとも１つのタブ又はポーチとを含む。従って、グラフトは複数のセグメントで構成される。グラフトは、以下に限定するわけではないが、直線的な長手方向グラフト、テーパ状グラフト、張り出しグラフト、段付きグラフト、二分岐又は多分岐グラフト、有窓グラフト、又はテーパ部分及び／又は段付き部分を有する二分岐グラフトなどのこれらの形状及び構成の組み合わせを含むあらゆる既知の形状又は設計とすることができる。同様に、グラフトの複数のセグメントも、単一の製品内で形状及び構成が変化することができる。グラフトは、１つの長手方向管状グラフト部分を含むことも、或いは他の実施形態では、間に織られた１又は２以上の一体織りポーチによって接合できる長手方向管状グラフト部分の複数のセグメントを含むこともできる。各長手方向管状グラフト部分は、内壁及び外壁と、グラフト部分を貫通する管腔とを有する。長手方向部分は、製品全体の一部としてテーパ部分、張り出し部分、段付き部分、フランジ部分又は多重分岐部分を含むグラフト設計の一部とすることができる。
【００３８】
「一体織りグラフト（ｉｎｔｅｇｒａｌｌｙ  ｗｏｖｅｎ  ｇｒａｆｔ）」という用語は、グラフトの一部又は断片が織り合わされてグラフト全体を形成することを意味する。このグラフトは、長手方向管状グラフト部分をポケット又はポーチ部分と別に作製し、その後に縫製などの何らかの形でグラフトの端部に実質的に接着又は付着させてワイヤ又はその他の要素を収容する当業で周知のグラフト、或いは折り重ねて端部にポケットを形成する他の既知のグラフトとは大きく異なる。一体織りグラフトは、概ね平らに織られることにより、中心に中空空間を有する拡張状態ではなく２次元的に矩形として見た時に、管状部分の２つの側面に沿って機能的でも恒久的でもない織縁部（ｗｏｖｅｎ  ｅｄｇｅ）が形成される。
【００３９】
本開示に従って形成される一体織りグラフトは、あらゆる長さ及びあらゆる直径を有するように作製することができる。任意に、一体織りグラフトは、あらゆる大人又は子供の動物における実装のためのあらゆる長さ及びあらゆる直径を有するように作製することができる。例えば、グラフトの長さは、約０．５ｍｍ〜約６００ｍｍとすることができる。ある実施形態では、グラフトの長さを、約１５ｍｍ〜約２５０ｍｍ、約２０ｍｍ〜約１４０ｍｍ、好ましくは約２０ｍｍ〜約６０ｍｍ、さらに好ましくは約２０ｍｍ〜約４０ｍｍとすることができる。外部グラフト壁面から測定した時の直径は、約０．１ｍｍ〜約１５０ｍｍ、約５ｍｍ〜約４５ｍｍ、好ましくは約８ｍｍ〜約４０ｍｍ、より好ましくは約８ｍｍ〜約３０ｍｍ、さらに好ましくは約８ｍｍ〜約２０ｍｍとすることができる。
【００４０】
グラフトの長手方向管状グラフト部分は、織りグラフトの１又は２以上のセグメントを構成する管状体を含む。長手方向管状グラフト部分は、当業で周知のあらゆる手段によって織ることができる。ある実施形態では、長手方向管状グラフト部分が、実質的に図２に示すような（例えば、一方を上、一方を下にして繰り返す）平織り反復パターンに従って、好ましくは管状織り反復パターン１０１に従って織られる。他の織りパターンも有用である。
【００４１】
織りパターンを示す図２及び本明細書の他の図では、記号表記を用いて特定の織りパターンを示す。グリッド上の正方形の縦列は縦糸を表し、正方形の横列は横糸を表す。グリッド上のマークが付いた又は埋められた正方形は、その特定の列によって表される縦糸が、その特定の横列によって表される横糸の上に来ることを象徴する。マークが付いていない又は空白のままの正方形は、製織中に縦糸が横糸の下に来ることを意味する。
【００４２】
図２には、本発明による平織り管状グラフトのための横糸及び縦糸を表す。横糸１、２、３及び５は、グラフトの下部又は底部を織るために使用され、横糸４、６、７及び８は、グラフトの上部又は頂部を織るために使用される。
【００４３】
ある実施形態では、このパターン反復が、通常パターンの４本の縦糸に対して８本の縦糸にわたる。反復パターンで織られる縦糸の量を変化させることにより、各内側及び外側管状壁が考慮されて織られる。グラフトの頂部及び底部に管状平織りを形成するには、通常の管状平織りパターンのように合計４本の横糸（頂部に２本及び底部に２本）が必要である。本開示の実施形態ではポーチ内で４つの層を織るので、反復全体を実行するために、内側管状壁の頂部／底部の４本の横糸、及び外側管状壁の頂部／底部の４本の横糸という８本の横糸を使用する。
【００４４】
別の実施形態では、長手方向管状グラフト部分を１組の横糸から織り、１又は２以上のポーチを同じ横糸の組の少なくとも一部と少なくとも１つのさらなる横糸の組とから織ることができる。グラフトが２つのポーチと複数の長手方向管状グラフト部分とを含む時には、長手方向管状グラフト部分を第１の横糸の組から一体的に織ることができ、第１のポーチを第１の横糸の組の少なくとも一部と第２の横糸の組とから一体的に織ることができ、第２のポーチを第１の横糸の組の少なくとも一部と第２の横糸の組又は第３の横糸の組とから一体的に織ることができる。
【００４５】
あらゆる横糸及び縦糸は、本開示に従って、例えば実質的に図２及び図３に示す織りパターンに従って使用することができる。シャトル織機で製織する際の１又は２以上のシャトル、又は当業での使用が知られている他のいずれかの織機で製織を行う際の他の横糸挿入装置内で使用される横糸を変更して、（糸が異なる色である場合には）着色パターンを形成することもできる。グラフトにさらなる形状安定性をもたらすために、ポーチを織るために使用されるシャトル又はその他の横糸挿入装置の糸巻き（ｑｕｉｌｌ）にさらに強い糸又はワイヤを使用することもできる。
【００４６】
１又は２以上のポーチは、あらゆる好適な織りパターンに従って平織り反復パターンを修正することによって長手方向管状グラフト部分に織り込むことができる。ポーチ又はタブは、グラフトの輪郭に従うように織ることができ、グラフトの周囲に円周方向に、線形的に、螺旋状に、又は対角的に、或いは他のいずれかの好適な態様又は形状で配置することができる。ポーチを円周方向に配置すると、この（ポケット又はサックとも呼ばれる）周方向ポーチがグラフトの円周全体又はその一部の周囲に広がる。ポーチは、円周全体の周囲に広がることによって円管を形成する。グラフトの周囲に円周方向に、線形的に、螺旋状に、対角的に又は別様に配置できる１又は２以上のポーチは、任意にその両側が縫い目、縫製又は切断を伴わずに長手方向管状グラフト部分と一体に織られる。
【００４７】
ある実施形態では、ポーチがグラフトの周囲に円周方向に又は対角的に位置し、実質的に図３に示すような織りパターン１０２に従って織られる。図３には、水平方向及び垂直方向に反復される８×８パターン（８本の縦糸及び８本の横糸）を示す。水平方向に加えられる反復が多ければ多いほど（すなわち、直径が大きくなるほど）グラフトは広くなり、ポーチはグラフトの円周の周囲でさらに広がるようになる。垂直方向に加えられる反復が多ければ多いほど、ポーチはグラフトの長手（長さ）方向に沿ってさらに延びるようになる。このパターンでは、各列が個々の縦糸の織りパターンを表し、各行が個々の横糸の織りパターンを表す。このパターンは底部から頂部に読まれる（底部の行は最初に織られる横糸である）。横糸３〜６は内側管状壁である。横糸１、２及び７、８は外側管状壁である。ポーチの各管状壁を織るために２本の横糸が使用される。このポーチの場合、各縦糸の列は単層、すなわち管状壁にしか織ることができない。正方形が黒色の場合又は着色されている場合には、縦糸が上にある。正方形が白色の場合には、縦糸が下にある。例えば、図３で縦糸１のパターンを見てみると、
・横糸１及び２は底部外側管状壁を織るために使用されて正方形は黒色であり、従って縦糸が上にあって織られておらず、
・横糸３は底部内側管状壁を織るために使用されて正方形は白色であり、従って縦糸が下にあって織られており、
・横糸４は頂部内側管状壁を織るために使用されて正方形は白色であり、従って縦糸が下にあって織られており、
・横糸５は底部内側管状壁を織るために使用されて正方形は白色であり、従って縦糸が下にあって織られており、
・横糸６は頂部内側管状壁を織るために使用されて正方形は黒色であり、従って縦糸が上にあって織られており、
・横糸７及び８は頂部外側管状壁を織るために使用されて正方形は白色であり、従って縦糸が下にあって織られていない。
【００４８】
この実施形態では、長手方向管状グラフト部分と１又は２以上のポーチとが同じ縦糸の組から織られる。具体的に言えば、この実施形態では、内側管状壁を一体的に織る際に縦糸の半分を使用することによってポーチが織られ、縦糸の残りの半分が外側管状壁において一体的に織られる。内側管状壁を織る際に使用される縦糸は、機能的内部開放領域を維持するようにポーチが織られることを保証するために、外側管状壁を織る際に使用される縦糸から離しておくべきである。その後、どれほど多くのポーチがグラフトに織り込まれた場合でも、再び全ての縦糸を使用してあらゆる追加の長手方向管状グラフト部分などを織る。
【００４９】
ある実施形態では、グラフトが１つの周方向ポーチを含むことができる。別の実施形態では、グラフトが、グラフトに織り込まれた２つ、３つ又は４つの周方向ポーチなどの１つよりも多くのポーチを含むことができる。いくつかの実施形態では、例えば同じグラフト上に周方向ポーチと対角ポーチなどのポーチ位置の組み合わせを使用することもできる。さらに、ポーチは、テキスタイル又は長手方向管状グラフトの外壁又は内壁に位置付け又は配置することもできる。
【００５０】
図４に示すグラフトは、２つの端部１２２及び１２４を有する長手方向管状グラフト部分１２６と、周方向ポーチ１２８と、図示のように相関してグラフトの長手方向軸と実質的に平行に位置するスリット開口部１３０とを含む。２つの端部１２２及び１２４は、対向する開放端とすることができる。
【００５１】
スリット開口部１３０は、ポーチ上（例えば、内側又は外側管状壁又はテキスタイル壁上）のあらゆる位置に配置することができる。図４では、スリット開口部がポーチの外側管状壁に存在し、ポーチを横切って延びる。長手方向管状グラフト部分の長手方向軸に垂直な位置などの他のスリット開口部１３０の位置、又は長手方向管状グラフト部分の長手方向軸に対する別の角度の位置も検討される。
【００５２】
１つの実施形態では、図５は、図７Ａのグラフトなどの一体織りグラフト１６０であって、長手方向管状グラフト部分１６２、１６４、１６６と、周方向ポーチ１６８、１７０と、グラフト１６０の背面又は後面のスリット開口部１７２と、グラフト１６０の前面又は側面のスリット開口部１７４とを含むグラフト１６０の側面斜視図である。グラフト内に２つのポーチが存在する時には、第１のポーチのスリット開口部を第２のポーチのスリット開口部と一直線にすることも、又は第２のポーチのスリット開口部からオフセットさせることもできる。この実施形態では、第１のポーチのスリット開口部を、第２のポーチのスリット開口部から、４５度、９０度、又は望ましくは１８０度などのいずれかの有用な度数だけオフセットさせることができる。１８０度オフセットさせた時には、スリットがグラフトの両側に存在するようになる。グラフト１６０は、対向する端部１７６、１７８をさらに含む。具体的に言えば、長手方向管状グラフト部分１６２、１６４、１６８と周方向ポーチ１６８、１７０とは同じ縦糸の組から織られる。長手方向管状グラフト部分１６２、１６４、１６６は、実質的に図２に示すようなパターン１０１を用いて織られ、周方向ポーチ１６８、１７０は、実質的に図３に示すようなパターン１０２を用いて織られる。
【００５３】
長手方向管状グラフト部分１６２、１６４、１６６は、第１の横糸の組から織られ、各周方向ポーチ１６８、１７０は、第１の横糸の組の一部と、少なくとも１つのさらなる横糸の組とから織られる。長手方向グラフト部分１６２及び１６６は、長手方向の長さが約２ｍｍであり、周方向ポーチ１６８、１７０は、長手方向の長さが約２．５ｍｍであり、長手方向管状グラフト部分１６４は、長手方向の長さが約１６ｍｍである。周方向ポーチ１６８の後面（例えば、３：００位置）において織られたスリット開口部１７２は長さが約２．５ｍｍであり、周方向ポーチ１７０の前面（例えば、９：００位置）において織られたスリット開口部１７４も長さが約２．５ｍｍである。
【００５４】
さらなる実施形態では、長手方向管状グラフト部分を、グラフトの第１の端部からグラフトの反対端に延びる連続内側管状壁として理解することができる。この場合、ポーチは、内側管状壁の周囲の外側管状壁として離散領域で織られる。各ポーチは、内側管状壁と、外側部（又は外側管状壁）と、開放内側管状空間とを有する。図６は、外側部１８８（又は外側管状壁）と、内側管状壁１９２と、開放内側管状空間１９０とを有する図５の周方向ポーチ１７０の断面図である。図５及び図６に示す実施形態では、周方向ポーチ１７０の長手方向管状グラフト部分１６２、１６４、１６６と内側管状壁１９２とがグラフト１６０の長さ全体を通じて連続しており、開放内側管状空間１９０が内側管状壁１９２の外部に存在する。
【００５５】
図６は、図５の軸５ｉ−５ｉに沿って切り取ったグラフト１６０の断面図である。図６に示すように、周方向ポーチ１７０に沿ったグラフト１６０の断面図には４つの織材料層が存在し、長手方向管状グラフト部分の断面図には２つの織材料層、すなわち外壁及び内壁（図示せず）が存在する。図６の実施形態では、これらの４つの層を、底部外側管状壁１８０、底部内側管状壁１８２、頂部内側管状壁１８４及び頂部外側管状壁１８６として示す。
【００５６】
ある実施形態では、図６のポーチを織るために、底部外側管状壁１８０又は頂部外側管状壁１８６を最初に織らなければならない。底部外側管状壁１８０を最初に織った場合には、頂部内側管状壁１８４を織る前に底部内側管状壁１８２が織られる。頂部内側管状壁１８４を織ると、ポーチ１７０の頂部外側管状壁１８６を織ることができる。正しい順序に従う限り、この正反対も可能である。
【００５７】
グラフトが２又は３以上のポーチを含む時には、グラフトの周囲にゼロ又はあらゆる数のポーチを円周方向に配置することができ、それぞれを「周方向ポーチ」と呼ぶことができる。図７Ａ及び図７Ｂに示す実施形態では、グラフト１４４が２つの周方向ポーチ１４８及び１５０を含み、一方のポーチがグラフトの第１の端部付近に（すなわち、第１の端部の近位に）存在し、第２のポーチがグラフトの反対端付近に（すなわち、反対端の近位に）、又はグラフトの第１の端部から離れて（すなわち、第１の端部の遠位に）存在する。端部付近とは、周方向ポーチがグラフトの中間点よりもグラフトの端部近くに配置されることを意味する。ある実施形態では、グラフトの長さが約２５ｍｍである時に、各ポーチがグラフトの各端部から約２ｍｍ〜約４ｍｍに、好ましくは約２ｍｍに位置することができ、各ポーチの幅は約２ｍｍ〜約４ｍｍであり、好ましくは約２ｍｍ〜約３ｍｍであり、さらに好ましくは約２．５ｍｍである。周方向ポーチは、あらゆる幅になるように織ることができる。グラフト上に１つよりも多くのポーチが含まれている場合、これらのポーチは同じ寸法である必要はなく、様々な用途に対応して様々な要素のハウジングとして機能するようにサイズ及び位置が異なることができる。
【００５８】
ある実施形態では、グラフトが１又は２以上のポーチを含む場合、各ポーチの１又は複数のスリット開口部を通じて（放射線不透過性の又はそうでない）１又は２以上のワイヤを配置し、例えば通すことができ、或いは（放射線不透過性の又はそうでない）２つのワイヤを使用して、第１のポーチのスリット開口部を通じて一方のワイヤを通し、第２のポーチのスリット開口部を通じて第２のワイヤを通すことができる。いくつかの実施形態では、図７Ａ及び図７Ｂに、３つの長手方向管状グラフト部分１４６と、グラフトの頂部付近の周方向ポーチ１４８と、底部付近の周方向ポーチ１５０とを有する一体織りグラフト１４０を示しており、両ポーチ１４８、１５０は開口部１５４を含む。図５Ｂでは、各ポーチ１４８、１５０のスリット開口部１５４を通じてニチノールワイヤ１５２のリング１５８を通すことができ、グラフト１４０の側面を下降するニチノールワイヤ１５２の露出したスパイン１５６が見える。
【００５９】
グラフト１４０に織り込まれた各周方向ポーチ１４８、１５０の各スリット開口部１５４を通じて、１つのこのようなニチノールワイヤ１５２を通すことができる。しかしながら、本発明は図７Ｂに示すニチノールワイヤの形状に限定されるものではなく、あらゆる好適な形状を使用することができる。さらに、ワイヤ１５２はニチノールワイヤに限定されるものではなく、あらゆる好適なワイヤ材料を使用することができる。
【００６０】
図７Ｃ〜図７Ｄは、グラフト長全体を通じて複数の周方向ポーチを含む一体織り管状グラフトの２次元図面である。これらのポーチは、グラフトの長さを通じて円周方向に均等に位置し、或いはグラフトのあらゆる長さに位置するように織ることができる。図７Ａ〜図７Ｄの各周方向ポーチは、織縁部上に１つの開口部を有する。図７Ｃに示すように、一体織りグラフト２００は複数の周方向ポーチ２０２を含む。図示の各ポーチ２０２は、ポーチ開口部２０６を介して内部に配置された周方向ワイヤ２０４を有する。図７Ｄに示すように、織りグラフト２２０は、対向する開放端２２２、２２４と、周方向ポーチ２２６、２３０と、長手方向管状グラフト部分２４３とを含む。図７Ｄの織りグラフト２２０の周方向ポーチ２２６は、織縁部２３６上に１つの開口部２２８を有し、図５の織りグラフト２２０の周方向ポーチ２３０は、織縁部２３８上に１つの開口部２３２を有する。図７Ｄに示すように、管状グラフト部分は、図２のような織りパターン１０１に従って織られ、周方向ポーチは、図３のような織りパターン１０２に従って織られる。
【００６１】
図８Ａ及び図８Ｂに示す別の実施形態では、周方向ポーチ２２６及び２４６が２つのスリット開口部２２８、２４０を有する。ポーチのスリット開口部２２８は各織縁部２３６上に存在し、ポーチ開口部２４０は織縁部２３８上に存在する。図８Ｂは、グラフト２４４の周囲で連続していない短縮された周方向ポーチ２４６を含む一体織り管状グラフト２４４の２次元図面である。織りグラフト２４４は、対向する開放端２５０、２５４と長手方向管状グラフト部分２４８とを含む。各ポーチ又はサックの適用は、各ポーチの位置及びサイズを決定する。図８Ａ及び図８Ｂに示すように、管状グラフト部分２３４及び２４４は、図２のような織りパターン１０１に従って織られ、ポーチ２２６及び２４６は、図３のような織りパターン１０２に従って織られる。
【００６２】
図９Ａ〜図９Ｂ及び図１０Ａ〜図１０Ｄは、グラフト長全体を通じて複数の周方向ポーチ、長手方向ポーチ及び対角ポーチを含む一体織り管状グラフトの織りパターン及び図面である。図９Ａは、スリット開口部を含まない連続した周方向ポーチの織りパターン１０３である。図９Ｂは、スリット開口部が織り込まれていない周方向ポーチ２６２を含む一体織り管状グラフト２６０の２次元図面である。織りグラフト２６０は、対向する開放端２６６、２６８と長手方向管状グラフト部分２６４とを含む。図９Ｂに示すように、管状グラフト部分２６４は、図２のような織りパターン１０１に従って織られ、周方向ポーチ２６２は、図９Ａのような織りパターン１０３に従って織られる。
【００６３】
図１０Ａは、修正された１×１管状グラフトの織りパターン１０４である。通常の１×１平織りパターンはグラフトをタックで閉じ、修正された織りパターンはグラフトをタックで閉じない。図１０Ｂは、対向する開放端２７２、２７４を有する一体織り管状グラフト２７０の２次元図面である。グラフト２７０は、それぞれが２つの開口部２７８、２８２を織り込まれたものとして示す２つの周方向ポーチ２７６を含む。ポーチ開口部２７８は、織りグラフト縁部２８０に配置することができ、ポーチ開口部２８２は、織りグラフト縁部２８４に配置することができる。しかしながら、ポーチ開口部２７８、２８２は、織りグラフト２７０の他の位置に好適に配置することもできる。さらに、ポーチ開口部の数は、２つよりも多くから開口部なしを含む２つ未満まで様々とすることができる。織りグラフト２７０は、グラフト２７０の長手方向長さの少なくとも一部に沿って１又は２以上の対角ポーチ２８６を含むことができる。図１０Ｂに示すように、対角ポーチ２８６は、その開放端が周方向ポーチ２７６の一部と一致するように織ることができる。一方で、対角ポーチ２８６は、グラフト２７０のあらゆる部分に沿って配置することができる。グラフト２７０の長手方向範囲に対する対角ポーチ２８６の角度は一定又は可変とすることができる。好適な角度は、約３０度〜約６０度又は約４５度を含め、約１０度から約８０度まで様々とすることができる。さらに、周方向ポーチ２７６は、グラフト２７０の長手方向範囲と実質的に垂直であるように示しているが、他の配向を好適に使用することもできる。例えば、周方向ポーチ２７６及び本明細書で説明する他のあらゆる周方向ポーチは、例えばグラフト２７０の長手方向範囲から約１０度又は１０度未満の鋭角などの、垂直からわずかに外れたものとすることもできる。図１０Ｂに示すように、管状グラフト部分２８８は、図２のような織りパターン１０１に従って織ることができ、管状グラフト部分２９０は、図１０Ａのような織りパターン１０４に従って織ることができる。周方向ポーチ２７６及び対角ポーチ２８６は、図３のような織りパターン１０２に従って織ることができる。
【００６４】
図１０Ｃは、周方向ポーチ３０６及び長手方向スパインポーチ３１０を含む一体織り管状グラフト３００の斜視図である。管状グラフト３００は、対向する開放端３０２、３０４を有する。周方向ポーチ３０６は、開口部３０８を有することができ、長手方向スパインポーチ３１０は、開口部３１２を有することができる。開口部３０８、３１２の一方又は両方は、グラフト３００の織縁部３１６に沿って配置することができる。スパインポーチ３１０及び周方向ポーチ３０６は、それぞれスリット開口部３１２、３０８を織縁部３１６上に含んで接続されないことが望ましい。グラフト３００は、グラフト３００の非ポーチ部分３１４も含む。
【００６５】
図１０Ｄは、対向する開放端３２２、３２４と、２つの周方向ポーチ３２６、３３２と、２つの長手方向ポーチ３３８、３４２とを有する一体織り管状グラフト３２０の２次元図面である。図１０Ｄに示すように、周方向ポーチ３２６は、グラフト３２０の織縁部３３０に沿ってポーチスリット開口部３２８を有し、周方向ポーチ３３２は、グラフト３２０の織縁部３３６に沿ってポーチスリット開口部３３４を有し、長手方向ポーチ３３８は、織縁部３３０に沿ってポーチスリット開口部３４０を有し、長手方向ポーチ３４２は、織縁部３３６に沿ってポーチスリット開口部３４４を有する。各ポーチ３２６、３３２、３３８、３４２は、織り込まれた１つの開口部３２８、３３２、３４０、３４４をそれぞれ有し、他のポーチには接続されない。管状非ポーチグラフト部分３４６は、図２及び図１０Ａのような織りパターン１０１及び１０４に従って織ることができる。周方向ポーチ３２６、３３２及び長手方向ポーチ３３８、３４２は、図３のような織りパターン１０２に従って織ることができる。
【００６６】
図１１Ａ〜図１１Ｃ及び図１２Ａ〜図１２Ｄは、長手方向スパインポーチの織りパターン及び図面である。図１１Ａには、長手方向ポーチ３６８の左側の織りパターン１０５を示す。図１１Ｂには、長手方向ポーチ３７０の右側の織りパターン１０６を示す。図１１Ｃは、対向する開放端３５２、３５４を有し、それぞれ織縁部３６０、３６６上に開口部３５８、３６４を有して長手方向スパインポーチ３６８、３７０に接続された周方向ポーチ３５６、３６２を含む一体織り管状グラフト３５０の２次元図面である。図１１Ｃに示すように、非ポーチ管状グラフト部分３７２は、図２のような織りパターン１０１及び図１０Ａのような織りパターン１０４に従って織られ、周方向ポーチ３５６、３６２は、図３のような織りパターン１０２に従って織られる。
【００６７】
図１２Ａ〜図１２Ｄは、スリット開口部を有する長手方向スパインポーチを含む一体織り管状グラフトの織りパターン及び図面である。図１２Ａには、スリット開口部４０２を有する長手方向ポーチ３９８の左側の織りパターン１０７を示す。図１２Ｂには、開口部４０４を有する長手方向ポーチ４００の右側の織りパターン１０８を示す。図１２Ｃは、対向する開放端３８２、３８４を有し、開口部３８８、３９４をそれぞれ有する２つの周方向ポーチ３８６、３９２を含む、一体織り管状グラフト３８０の２次元図面である。グラフト３８０は、それぞれ開口部４０２、４０４を有する２つの長手方向スパインポーチ３９８、４００をさらに含む。長手方向ポーチ３９８、４００は、織縁部に対してグラフトの両側部又は両縁部３９０、３９６に織られ、すなわち織縁部に巻き付かない。
【００６８】
図１２Ｄは、図１２Ｄのグラフト４２０の頂部の近位に位置する周方向ポーチ３８６に接続された長手方向スパインポーチ３９８と、図１２Ｄのグラフト４２０の底部の近位に位置する周方向ポーチ３９２に接続された長手方向スパインポーチ４００とを含む一体織り管状グラフト４２０の２次元図面である。各長手方向スパインポーチ３９８、４００は、織縁部３９０、３９６に対してグラフト４２０の両側部又は両縁部３９０、３９６に織られる。各長手方向ポーチ３９８、４００は、一体織り長手方向管状グラフト４２０の織縁部３９０、３９６において、それぞれ開口部３８８、３９４を有する１つの周方向ポーチ３８６、３９２にそれぞれ接続される。図１２Ｃ及び図１２Ｄに示すように、管状グラフト部分は、図２のような織りパターン１０１及び図１０Ａのような織りパターン１０４に従って織られ、周方向ポーチは、図３のような織りパターン１０２に従って織られ、長手方向スパインポーチは、織りパターン１０７及び１０８に従って織られる。
【００６９】
図１３Ａ〜図１３Ｄは、本開示の１又は２以上のポーチを含む一体織りテキスタイルの非限定的な例示的図面である。図１３Ａでは、一体織りグラフト４４０が、対向する開放端４４２、４４４と、非ポーチグラフト部分４５２と共に配置された細長い又は拡大された周方向ポーチ４４６とを有する。周方向ポーチ４４６は、グラフト４４０の対応する織縁部４６０、４５８に、２つの一体的に織られたポーチスリット開口部４４８、４５０を有することができる。
【００７０】
図１３Ｂに示すように、一体的に織られたポーチ開口部４５４、４５６は、織縁部４５８、４６０から離れて配置することができる。図１３Ｃに示すように、一体織りグラフト４８０は、開放端４８２付近の第１の部分４８６における第１の直径と、開放端４８４付近の第２のグラフト部分４８８における、第１の直径とは異なる第２の直径と、これらの間に一体的に織られた張り出し部分４９０とを有することができる。部分４８６、４８８、４９０は、いずれも１又は２以上の開口部４９４を有する１又は２以上の周方向ポーチ４９２を含むことができる。図１３Ｄに示すように、一体織り二分岐グラフト５００は、開放端５０４を有する本体５０２と、それぞれが開放端５１０、５１２を有する２つの対向する脚部５０６、５０８とを主に含む。グラフト部分５０２、５０６、５０９は、いずれも１又は２以上のポーチ開口部５１６を有する１又は２以上の周方向ポーチ５１４を有することができる。
【００７１】
本発明の実施形態は、第１の端部と、第２の端部と、少なくとも１つの長手方向テキスタイル部分及び少なくとも１つのポーチを含む第１及び第２の端部間の長さとを有する一体織りテキスタイルの作製方法であって、（ａ）糸の組を用いて長手方向テキスタイル部分を織るステップと、（ｂ）上記糸の組の少なくとも一部から、スリット開口部を含む第１のポーチを長手方向テキスタイル部分と一体に織るステップと、（ｃ）任意にステップ（ａ）及び／又は（ｂ）を１〜３回繰り返して、長手方向テキスタイル部分及び第１のポーチと一体に１又は２以上のさらなるセグメントを織るステップと、（ｄ）ポーチのスリット開口部を通じて要素を通すステップと、を含む方法に関する。この実施形態では、要素が放射線不透過性マーカである。別の実施形態では、要素がニチノールワイヤである。
【００７２】
別の実施形態は、第１の端部と、第２の端部と、ベーステキスタイル層及び少なくとも１つのフラップ又はポーチを含む第１及び第２の端部間の長さとを有する一体織りグラフトの作製方法であって、糸の組を用いてベーステキスタイル層を織るステップと、上記糸の組の少なくとも一部からベーステキスタイル層と一体にポーチを織るステップとを含む方法である。糸は、少なくとも横糸の組及び少なくとも縦糸の組で構成される。
【００７３】
さらなる実施形態は、第１の端部と、第２の端部と、内壁及び外壁、並びにこれらを貫通する管腔を有する長手方向管状グラフト部分を定める第１及び第２の端部間の長さとを含む一体織りグラフトであり、上記長手方向管状グラフト部分は織糸の組を含み、管腔の外部の少なくとも１つの一体的に形成されたポーチが、上記織糸の組の少なくとも一部を含む。長手方向管状グラフト部分及びポーチは共通の壁を有することができ、任意にこれによってグラフト第１の端部から第２の端部までの連続管を形成する。
【００７４】
第３の実施形態は、第１の端部と、第２の端部と、これらの間の長さとを有する一体編みテキスタイルに関する。この一体編みテキスタイルは、糸の組から編まれた長手方向テキスタイル部分と、同じ糸の組の少なくとも一部から長手方向テキスタイル部分と一体に編まれた少なくとも１つのタブ又はポーチとを含む。従って、テキスタイルは複数のセグメントで構成される。テキスタイルは、１つの長手方向テキスタイル部分を含むことも、或いは他の実施形態では、間に編まれた１又は２以上の一体編みポーチによって接合できるテキスタイル部分の複数のセグメントを含むこともできる。１つの実施形態では、テキスタイル又はテープを単層材料又は二層材料の構成で編むことができる。テキスタイルは、厚い又は薄い高密度又は低密度のテキスタイルのために編み合わされた２又は３以上の層によって構成することができる。別の実施形態では、一体型ポーチを含むテキスタイルを編む工程が、織物層のための１つの案内棒、又は織物層のための２つの案内棒、又は織物層のための３つの案内棒、又は織物層のための４つの案内棒、或いは織物層又はポーチを編むための同じ数の案内棒（ａｓ  ｍａｎｙ  ｇｕｉｄｅ  ｂａｒｓ）を利用する。一体型ポーチを含むテキスタイルの製編工程で使用できる案内棒の最大数は、機械パラメータ又は機械のタイプによって制限される。
【００７５】
以下の表Ａに、後述する図の製編構造の簡単な、ただし非限定的な要約をまとめる。
【表Ａ】
0006848070.tif 000002
＊任意に開口部ポーチの閉鎖又は中心スリットの形成のためにさらなる案内棒を使用することもできる。
【００７６】
図１４Ａ〜図１４Ｅに、テキスタイル全体を通じて一体的に編まれたポーチを含む編みテキスタイルの編みパターン及び図面を示す。図１４Ａは、一体編み管状ポーチを含む編みテープ又は平坦シートの１つの反復部分６０１のラッピングの編みパターン及び糸通し図である。編みパターン６０１は、ループ及び縫い合わせパターン６０２と、案内棒の糸通し図６０４とを含む。図１４Ａに示す１つの実施形態では、４つの案内棒（織物層当たり２つの案内棒）に完全に及び部分的に糸が通され、部分的に糸通しされた２つの案内棒がポーチの構成に利用され、完全に糸通しされた案内棒がテープの構成に利用される。この実施形態では、この管からテープへの製編工程中に利用される４つの案内棒が、以下の縫製表記の案内棒４（ＧＢ４）６１０、案内棒５（ＧＢ５）６１２、案内棒１２（ＧＢ１２）６１４、案内棒１３（ＧＢ１３）６１６である。
案内棒４
１−２／１−１／１−０／１−１／／＊６
案内棒５
１−０／１−１／１−２／１−１／／＊６
案内棒１２
１−０／１−２／／＊４＋
１−１／１−０／１−１／１−２／／＊４
案内棒１３
１−０／１−２／／＊４＋
１−０／１−２／１−１／１−０／／＊４
【００７７】
図１４Ｂ及び図１４Ｃは、それぞれ一体編みポーチを含む編みテキスタイルテープ又はシートの側断面図及び斜め断面図である。図１４Ｂは、図１４Ａの２次元図面である。図１４Ｂには、それぞれが対向する端部層（ｅｎｄ  ｌａｙｅｒ）６２２、６２４を有して３つの管状ポーチ６３０、６３２、６３４を含む一体編み二層フラットテープ６２０を示す。管状ポーチ６３０、６３２及び６３４は、二層フラットテープ６２０の２つの対向する側面６２２、６２４間に一体的に編まれ、一体的に編まれた縦糸６４０、６４２、６４４及び６４６の一部によって分離される。図１４Ｃは、テープの両面６２２、６２４間に編まれた３つの一体型ポーチ６３０、６３２及び６３４を含む編まれた二層テープ６２０の３次元斜め断面図である。編みパターン６０１の中央部に示す、３つの管状ポーチ６３０、６３２、６３４を含むテープ６２０を構成する又は編む編機は完全に糸通しされる。
【００７８】
図１４Ｄは、一体編みポーチを含む編みテープの２次元正面図である。編みテープ６５０は、それぞれが２つの側面６５２、６５４、６５６及び６５８と２つのスリット開口部６６０及び６６６、６６２及び６６８、及び６６４及び６７２とを有する３つの一体編みポーチ６３０、６３２及び６３４と、２つの非ポーチ部分６７２、６７４とを有する。各ポーチを編むには、全ての案内棒を共に配置してポーチ側面６５２、６５４、６５６、６５８を編み、案内棒の両側を分離させてパターン６０１で示す管状ポーチ６３０、６３２及び６３４を編む。
【００７９】
図１４Ｅは、単層テープ部分６８２、６８４及び二層テープ部分６８６を有する編みテキスタイル６８０を示す底面図又は上面図である。二層テープ部分（ｄｏｕｂｌｅ  ｌａｙｅｒ  ｔａｐｅ  ｐｏｒｔｉｏｎ  ｏｒ  ｓｅｃｔｉｏｎ）は、一体編みポーチを含む。テープの二層は、層を区別するために縮尺通りに描いていない。図１４Ａ及び図１４Ｅに示すように、案内棒は、縫製表記及びパターン６０１に従って、（ポーチを含んでいない）単層フラットテープ６８２、６８４部分を編むために完全に糸通しされ、ポーチ６８６を有する二層テープを編むために部分的に糸通しされる。
【００８０】
別の実施形態では、図１４Ａ〜図１４Ｅと比べて少ない糸を用いて一体型ポーチを含むテープを編むことができる。この実施形態では、織物層当たり１つの案内棒を用いて一体編み管状ポーチを含む編みテープを構成する。図１５Ａ〜図１５Ｅは、テキスタイル全体を通じて一体編みポーチを含む編みテキスタイルの編みパターン及び図面である。図１５Ａに示すように、１つの反復部分７０１のラッピング及び糸通し図、及び単層編みテープの案内棒７０２の糸通し図は、２つの一体編み管状ポーチを含む。図１５Ａに示す１つの実施形態では、テープの構成では１つの案内棒７１０に完全に糸が通され、２つのポーチの構成では部分的に糸が通された案内棒７１２が利用される。この実施形態では、この管からテープへの製編工程中に利用される２つの案内棒が、以下の編み表記の案内棒２（ＧＢ２）７１０及び案内棒５（ＧＢ５）７１２である。
案内棒２
１−２−１−１／１−０−１−１／／＊Ｎ＋
０−１−０−０／０−０−０−１／／＊Ｎ
案内棒５
１−１−１−０／１−１−１−２／／＊Ｎ＋
１−１−１−０／１−０−１−１／／＊Ｎ
*Ｎ＝ポーチの長さに対する編みテープの長さの比率に応じて使用される反復階数の指示。
【００８１】
図１５Ｂ及び図１５Ｃは、それぞれ２つの一体編みポーチを含む二層編みテキスタイルテープの側断面図及び斜め断面図である。図１５Ｂは、管状ポーチ７３０を含む対向する層７２２、７２４を有する二層編みフラットテープ７２０の２次元図面である。管状ポーチ７３０は、二層フラットテープ側面７２２、７２４と端部７４２、７４４との間で一体的に編まれる。図１５Ｃは、編みテープの二層７２２、７２４と一体に編まれた、２つの一体型ポーチ７３０を含むテープの３次元斜め断面図である。
【００８２】
図１５Ｄは、一体編みポーチを含む編みテープの２次元正面図である。編みテープ７５０は、２つの一体編みポーチ７３０及び７３２を含み、各ポーチは、それぞれ２つの側面７５２、７５４及び７５６、７５８と、それぞれ２つの開放スリット７６０、７６６及び７６２、７６４とを有する。図１４Ｅは、テープの２つの層内に一体的に編まれた編みポーチ７８８及び７９０を有する編みテキスタイル又はテープ７８０と、単層テープ部分７８２、７８４及び７８６とを示す底面図又は上面図である。ポーチ７８８、７９０は、２つの編み層間に空隙領域又は開放領域を形成するように２つの案内棒を分離し又は距離を空けることによって構成される。図１５Ｅに示すように、単層フラットテープ部分７８２、７８４及び７８６を構成する案内棒には部分的に糸が通され、ポーチ７８８、７９０を構成する案内棒には完全に糸が通されて互いに離れて配置される。ポーチ部分及びテープ部分の領域、寸法及びスケールは、層を区別するために縮尺通りではない。図１５Ｅに示すように、非ポーチ単層フラットテープ部分７８２、７８４及び７８６、並びにポーチ７８８、７９０は、図１５Ａに示すような縫製表記７０１に従って編まれる。
【００８３】
さらに、別の実施形態では、一体編み管状ポーチを含む編みテープを構成するために使用される全ての案内棒に完全に糸又は生地が通される。図１６Ａに示すように、ラッピング図８０１及び案内棒糸通し図８０２は、一体編み管状ポーチを含む編みテープに利用される。図１６Ａに示すように、二層フラットテープ及び管状ポーチを編む２つの案内棒には完全に糸が通される。この実施形態では、この管からテープへの製編工程中に利用される２つの案内棒が、以下の編み表記の案内棒２（ＧＢ２）８１０及び案内棒５（ＧＢ５）８１２である。
案内棒２
１−２−１−１／１−０−１−１／／＊Ｎ＋
０−１−０−０／０−０−０−１／／＊Ｎ
案内棒５
１−１−１−０／１−１−１−２／／＊Ｎ＋
１−１−１−０／１−０−１−１／／＊Ｎ
*Ｎ＝ポーチの長さに対する編みテープの長さの比率に応じて使用される反復階数の指示。
【００８４】
図１６Ｂ及び図１６Ｃは、それぞれ一体編みポーチ又はタブを含む編みテキスタイルテープの側断面図及び斜め断面図である。図１６Ｂは、対向する端部層８２２、８２４を有してポーチ８３０とタブ又は延長テキスタイル部分８３２とを含む一体編み二重フラットテープ８２０の２次元図面である。ポーチ８３０及びフラップ又はタブ８３２は、対向するフラットテープ側面８２４又は８２０から一体的に編まれる。ポーチ８３０は、４つの側面８２２、８２４、８４２及び８４４（又は側面８４２及び８４４を表す一体的に編まれた縦糸の一部）が完全に閉じられてフラットテープと一体に接続される。一方で、タブ又は延長テキスタイル部分８３２は、タブの３つの側面８２２、８２４及び８４４（又は側面８４４を表す一体的に編まれた縦糸の一部）が開かれ又はフラットテープに接続されて、１つの面８４６は開かれ又はフラットテープと一体に接続されていない。図１６Ｃは、フラットテープ層８２４から延びる一体型ポーチ又はタブ８３０、８３２を含む二層編みテープの３次元斜め断面図である。パネル又はテープ８２４を構成する又は編む編機の側面には完全に糸が通され、ポーチ８３０及びタブ８３２を構成する又は編む機械には完全に糸又は他の繊維が通される。
【００８５】
図１６Ｄは、一体編みポーチを含む二層編みテープの２次元正面図である。編みテープ８５０は、２つの一体編みポーチ８３０、８３２を含む。一体編みポーチ８３０は、２つの閉じた又は取り付けられた側面８５２及び８５４を有する。図１６Ａのパターン８０１を反復した場合、ポーチ８３２も２つの閉じた又は取り付けられた側面を有するようになる。この実施形態では、ポーチが編んで閉じられず、部分的に糸通しされたさらなる案内棒が追加された場合、これらのポーチは４つの側面全てが閉じられて、開いたスリットを有さないようになる。図１６Ｅは、一体編みポーチ（図１６Ｅでは、全体を通じたテープの二層構造によってポーチが見えない）を有する編みテキスタイル８８０を示す上面図又は底面図である。図１６Ｅに示すように、一体型ポーチ８８０を含む二層編みテープは、全ての案内棒に完全に糸が通された状態で図１６Ａのような編みパターン８０１に従って編まれる。
【００８６】
ある実施形態では、第１の端部と、第２の端部と、少なくとも１つの長手方向テキスタイル部分及び少なくとも１つのポーチ又はタブ又はサックを含む第１及び第２の端部間の長さとを有する一体編みテキスタイルの作製方法が、（ａ）糸の組を用いて長手方向テキスタイル部分を編むステップと、（ｂ）糸の組の少なくとも一部から、スリット開口部を含む第１のポーチ又はタブ又はサックを長手方向テキスタイル部分と一体に編むステップと、（ｃ）任意にステップ（ａ）及び／又は（ｂ）を１〜３回繰り返して、長手方向テキスタイル部分及び第１のポーチ又はタブ又はサックと一体に１又は２以上のさらなるセグメントを編むステップと、（ｄ）ポーチ又はタブ又はサックのスリット開口部を通じて要素を通すステップとを含む。この実施形態では、要素が放射線不透過性マーカである。別の実施形態では、要素がニチノールワイヤである。
【００８７】
当業者であれば、開示の趣旨から逸脱することなく、本明細書で説明した実施形態に多くの変更及び修正を行うことができると理解するであろう。ベーステキスタイル及び１又は複数のポーチは、従来のループ構造、又は１たす１のラッピング運動、２たす１のラッピングなどのラッピング運動、支柱、或いはトリコット、ロックニット（ｌｏｃｋｎｉｔ）、サテン、アトラスなどの当業者に周知のラッピング運動の組み合わせを用いて形成することができるが、隣接する針棒に移されてポーチを閉じ、又は別個の針棒上で編まれたままになってポーチを開いた状態に保つ。長手方向ポーチ又は対角ポーチは、完全に又は部分的に糸が通された案内棒の使用によって形成される。完全に又は部分的に糸が通された案内棒を用いたアトラス編み（ａｔｌａｓ  ｓｔｉｔｃｈ）は、接合糸（ｊｏｉｎｉｎｇ  ｙａｒｎ）が通されていない領域に、従ってポーチを形成する領域に対角ポーチを形成することができる。本発明の範囲には全てのこのような変形例が含まれるように意図される。例えば、Ｒａｚ  Ｓ．（１９８７）Ｗａｒｐ  Ｋｎｉｔｔｉｎｇ  Ｐｒｏｄｕｃｔｉｏｎ．Ｃｈａｒｌｏｔｔｅｓｖｉｌｌｅ，ＶＡ：Ｍｅｌｌｉａｎｄ  Ｔｅｘｔｉｌｂｅｒｉｃｈｔｅ．には、従来のテキスタイル構成の編み工程、機械方法及び案内棒構成が教示されており、この文献はその全体が引用により本明細書に組み入れられる。これらの方法及び工程は、参考文献に示されるように使用することも、又は本明細書に開示する特定の実施形態に合わせて修正することもできる。
【００８８】
第６の実施形態は、第１の端部と、第２の端部と、ベーステキスタイル層及び少なくとも１つのポーチ、タブ又は延長テキスタイル部分を含む第１及び第２の端部間の長さとを有する一体織り又は一体編みフラットテキスタイルの作製方法であって、糸の組を用いてベーステキスタイル層を織る又は編むステップと、上記糸の組の少なくとも一部からベーステキスタイル層と一体にポーチ又はタブを織る又は編むステップと、その後に１又は２以上の一体的に接続された側面を切り離すステップとを含む。糸は、少なくとも横糸の組と少なくとも縦糸の組とで構成される。
【００８９】
図１７Ａに、ポーチ開口部５２８を含むポーチ５２６を有するテキスタイルシート５２０を示す。テキスタイルシート５２０は、単一編み又は単一織りテキスタイルとすることができる。図１７Ａの軸１７Ｂ−１７Ｂにおけるテキスタイルシートの断面図である図１７Ｂに示すように、テキスタイルシート５２０は、頂部５２２及び底部５２４を有する単層テキスタイルシートとすることができる。別の実施形態では、このテキスタイルシートを、織り合わされて単層を形成する複数の層（図示せず）で構成することができる。図１７Ａの軸１７Ｃ−１７Ｃにおけるテキスタイルシートの断面図である図１７Ｃに示すように、ポーチ５２６は、間にポーチ空洞５３４を有する上部５３０及び下部５３２を含む。テキスタイルシートは、例えば一体的に織られて又は一体的に編まれて一体形成されたポーチを含む織りシート又は編みシートとすることができる。
【００９０】
別の実施形態では、図１８Ａ及び図１８Ｂに、一体織り又は一体編みタブ、フラブ又は延長テキスタイル部分を含む織りフラットテープ又は編みフラットテープを示す。図１８Ａは、２つの織り又は編み平坦部９１２及び９１４と１つの一体織り又は一体編みタブ９２０とを含む織り又は編みフラットテキスタイル９１０の２次元図面である。図１８Ａに示す１つの実施形態では、織り又は編みタブ９２０の一方の側面９４０が一体的に接続される。タブ９２０は、最初に２つの開放端又はスリット９２２及び９２４を含むポーチ９１６を織り又は編み、次にポーチの一方の側面を切り離す（すなわち、切断する）ことによって形成される。１つの実施形態では、ポーチ９１６を切断線９３０において切り離すことができる。図１８Ｂは、２つの側面９６４、９６６が接続されて２つの側面９６２、９７０が開かれたタブ９６０を含む２次元図面である。切断部は、ポーチの長手方向軸、円周方向軸又は対角軸と実質的に平行又は垂直に位置することができる。また、切断部は直線に限定されるものでもない。
【００９１】
ポーチを形成するには、長手方向管状グラフト部分を織るために使用されるパターンから織りパターンを変更しなければならない。ある実施形態では、ポーチの長手方向管状グラフト部分及び内側管状壁を織るためにシャトル１を使用し、第１のポーチの外側部（又は外側管状壁）を作製するためにシャトル２を使用し、第２のポーチの外側部（又は外側管状壁）を作製するためにシャトル３を使用する。ある実施形態では、図２の平織りパターンに従って長手方向管状グラフト部分を織り、平織りパターンに以下の変更を行って、グラフトの周囲に円周方向に又は対角的に配置されたポーチの織りパターンを形成する。
・８本の縦糸及び８本の横糸をカバーするようにパターン反復を変更する。４本の縦糸及び４本の横糸はシャトル１に対応し、残りの４本の縦糸及び４本の横糸はシャトル２及び３に対応する。ポーチへのアクセスを可能にするスリット開口部を形成するには、シャトル２の反復を、間にシャトル１のパターンを挟む（シャトル１の４本の横糸の反復の両側に２本の横糸を位置付ける）ことによって半分に分割しなければならない。反復織りの順序は以下の通りである。
ｉ．横糸１〜２：シャトル２（頂部／頂部）、
ｉｉ．横糸３〜６ :シャトル１(頂部／底部／頂部／底部)、
ｉｉｉ．横糸７〜８ :シャトル２又はシャトル３（底部／底部）。
シャトル１が織っている時には常にシャトル２及び３の縦糸を避けなければならず、逆もまた同様である。縦糸を上げるか、それとも下げるかは、これらが内側管状壁又は外側管状壁のどちらを形成するために使用されているかに依存する。
シャトル１及びシャトル３は、製織装置（例えば、織機）の（右側などの）一方の側から開始する。シャトル２は、製織装置の他方の側（ここでは左側）から開始する。
シャトル３はシャトル２と同様に、ただしポーチの反対側にスリット開口部を織るためにグラフトの２つのポーチの他方を織る際に使用される（すなわち、１８０度オフセットされる）。
【００９２】
ポーチの各管状壁にどの縦糸を織り込むべきかを選択すると、放射線不透過性ワイヤなどの要素を通し又は収容できるようにする開放内側管状空間がポーチに備わることが保証される。織りパターンを８本の縦糸／８本の横糸の反復に変更すると、特定の縦糸及び横糸がポーチの各管状壁に対応できるようになる。ポーチの内側管状壁を織るために４本の縦糸及び横糸が使用され、ポーチの外側管状壁（外側部）を織るために４本の縦糸及び横糸が使用されるようになる。８本の縦糸及び８本の横糸をカバーするように織りパターンを変更しない場合には、縦糸が管状壁に織り込まれて、織り合わされた管状壁を有する密集した布地が形成されるようになる。すなわち、要素を通すことができる開口部が存在しなくなる。
【００９３】
各シャトルが織り始める側面を選択すると、外側管状壁にスリット開口部が織り込まれる側面が決まる。シャトル１及びシャトル２は、横糸が閉じ込められないように反対側から開始しなければならない。シャフト３は、スリット開口部がグラフトの両側に存在する（すなわち、１８０度オフセットされる）ようにシャトル２の反対側から開始しなければならない。
【００９４】
ポーチを織る順序は重要である。例えば、シャトル１を用いて内側管状壁を織るまではシャトル２及び３を用いて第１及び第２のポーチの外側管状壁を（完成まで）織ることができず、或いはこれらの内側部分を織るためにグラフトの内側にアクセスすることはできない。
【００９５】
さらに、管状壁を織るために縦糸が使用されていない時に縦糸が邪魔にならないように織りパターンを変更しなければ、ポーチ又はグラフト全体が閉じて織られ、ポーチ設計における開口部が排除されてしまう。具体的に言えば、頂部内側管状壁（図６）の縦糸が織られていて頂部外側管状壁（図６）の縦糸が織られていない場合には、これらの縦糸を偶発的に管に織り込まれないように持ち上げておく必要がある。織り込まれれば、管は閉じて織られてしまう。
【００９６】
図１９〜図２２は、ポーチの４つの管状壁の各々が織られている時に縦糸がどのように見えるかについての断面図である。これらの図の各々について、
数字１は、ポーチの頂部外側管状壁（図６）を織るために使用される縦糸を示し、
数字２は、ポーチの頂部内側管状壁（図６）を織るために使用される縦糸を示し、
数字３は、ポーチの底部内側管状壁（図６）を織るために使用される縦糸を示し、
数字４は、ポーチの底部外側管状壁（図６）を織るために使用される縦糸を示す。
【００９７】
図１９は、底部外側管状壁が織られている時の縦糸の間隔の断面図である。図示のように、底部外側管状壁を織るために使用される縦糸（４）は、邪魔にならないように持ち上げられた他の縦糸（１〜３）から分離される。図２０は、底部内側管状壁が織られている時の縦糸の間隔の図である。図示のように、縦糸３の織りに干渉しないように縦糸１及び２は持ち上げられて縦糸４は下げられる。図２１は、頂部外側管状壁が織られている時の縦糸の間隔の図である。図示のように、縦糸２〜４は縦糸１の織りに干渉しないように下げられる。図２２は、頂部内側管状壁が織られている時の縦糸の間隔の図である。図示のように、縦糸２の織りに干渉しないように縦糸３及び４は下げられて縦糸１は持ち上げられる。
【００９８】
実質的に図２及び図３に示す織りパターンを用いて、グラフトの周囲に円周方向に位置するポーチの外側管状壁の１つの側面にスリット開口部を含まないポーチを織ると、ポーチの内部へのアクセスが制限されることが分かっている。従って、これらの織りパターンを用いて長手方向管状グラフト部分及び少なくとも１つのポーチと一体に織られたグラフトは、各ポーチにスリット開口部も含む。グラフトの外側管状壁にスリット開口部が存在しなければポーチへのアクセスができず、横糸がポーチの逆側を閉じる。
【００９９】
ポーチの布密度（すなわち、１インチ当たりの横糸）は、長手方向管状グラフト部分の布密度と同じとすることも、又は異なることもできる。ある実施形態では、グラフトの長手方向管状グラフト部分と同様又は同等のポーチの布密度を維持するようにポーチを織ると、１インチ当たりの横糸が２倍になる。
【０１００】
ある実施形態では、ポーチの長手方向管状グラフト部分及び内側管状壁の連続する織り合わさった糸の組を介してグラフトの第１の端部からグラフトの第２の端部までの連続管が織られる。この実施形態では、グラフトの連続管全体を通じて縦糸の組と横糸の組とがいずれも同じである。
【０１０１】
本開示の一体織りグラフトは、任意に本明細書で説明したような織りパターン又は編みパターンを用いて当業で周知のあらゆるグラフトを作製できるのと全く同様に様々なサイズ、密度、形状などで作製することができる。
【０１０２】
当業者であれば、開示の趣旨から逸脱することなく本明細書で説明した実施形態に多くの変更及び修正を行うことができると理解するであろう。本発明の範囲には全てのこのような変形例が含まれるように意図される。
【符号の説明】
【０１０３】
１２０  グラフト
１２２  端部
１２４  端部
１２６  長手方向管状グラフト部分
１２８  周方向ポーチ
１３０  スリット開口部
【図１】
0006848070.tif 000003
【図２】
0006848070.tif 000004
【図３】
0006848070.tif 000005
【図４】
0006848070.tif 000006
【図５】
0006848070.tif 000007
【図６】
0006848070.tif 000008
【図７Ａ】
0006848070.tif 000009
【図７Ｂ】
0006848070.tif 000010
【図７Ｃ】
0006848070.tif 000011
【図７Ｄ】
0006848070.tif 000012
【図８Ａ】
0006848070.tif 000013
【図８Ｂ】
0006848070.tif 000014
【図９Ａ】
0006848070.tif 000015
【図９Ｂ】
0006848070.tif 000016
【図１０Ａ】
0006848070.tif 000017
【図１０Ｂ】
0006848070.tif 000018
【図１０Ｃ】
0006848070.tif 000019
【図１０Ｄ】
0006848070.tif 000020
【図１１Ａ】
0006848070.tif 000021
【図１１Ｂ】
0006848070.tif 000022
【図１１Ｃ】
0006848070.tif 000023
【図１２Ａ】
0006848070.tif 000024
【図１２Ｂ】
0006848070.tif 000025
【図１２Ｃ】
0006848070.tif 000026
【図１２Ｄ】
0006848070.tif 000027
【図１３Ａ】
0006848070.tif 000028
【図１３Ｂ】
0006848070.tif 000029
【図１３Ｃ】
0006848070.tif 000030
【図１３Ｄ】
0006848070.tif 000031
【図１４Ａ】
0006848070.tif 000032
【図１４Ｂ】
0006848070.tif 000033
【図１４Ｃ】
0006848070.tif 000034
【図１４Ｄ】
0006848070.tif 000035
【図１４Ｅ】
0006848070.tif 000036
【図１５Ａ】
0006848070.tif 000037
【図１５Ｂ】
0006848070.tif 000038
【図１５Ｃ】
0006848070.tif 000039
【図１５Ｄ】
0006848070.tif 000040
【図１５Ｅ】
0006848070.tif 000041
【図１６Ａ】
0006848070.tif 000042
【図１６Ｂ】
0006848070.tif 000043
【図１６Ｃ】
0006848070.tif 000044
【図１６Ｄ】
0006848070.tif 000045
【図１６Ｅ】
0006848070.tif 000046
【図１７Ａ】
0006848070.tif 000047
【図１７Ｂ】
0006848070.tif 000048
【図１７Ｃ】
0006848070.tif 000049
【図１８Ａ】
0006848070.tif 000050
【図１８Ｂ】
0006848070.tif 000051
【図１９】
0006848070.tif 000052
【図２０】
0006848070.tif 000053
【図２１】
0006848070.tif 000054
【図２２】
0006848070.tif 000055